(57)【要約】  本出願は、データ伝送方法及び装置、コンピュータ記憶媒体を開示する。前記方法は、第１端末が、物理サイドリンク制御チャネル（ＰＳＣＣＨ）及び／又は物理サイドリンク共有チャネル（ＰＳＳＣＨ）を第２端末に送信し、前記ＰＳＣＣＨ又はＰＳＳＣＨにフィードバック情報及び／又は測定情報を含まれることを含む。
2021508205.tif 000002
【特許請求の範囲】
【請求項１】
データ伝送方法であって、
第1端末が、物理サイドリンク制御チャネル（ＰＳＣＣＨ）及び／又は物理サイドリンク共有チャネル（ＰＳＳＣＨ）を第２端末に送信し、前記ＰＳＣＣＨ又はＰＳＳＣＨにフィードバック情報及び／又は測定情報を含まれることを含む、前記方法。
【請求項２】
前記方法は、
前記第１端末がＰＳＣＣＨ及び／又はＰＳＳＣＨを前記第２端末に送信する前に、前記第１端末が、前記第２端末から送信されたデータ及び／又は測定信号を受信することを更に含むことを特徴とする
請求項１に記載の方法。
【請求項３】
前記測定信号は、
復調基準信号（ＤＭＲＳ）、チャネル状態インジケータ基準信号（ＣＳＩ−ＲＳ）、サウンディング基準信号（ＳＲＳ）、位相トラッキング基準信号（ＰＴ−ＲＳ）のうちの少なくとも１つを含むことを特徴とする
請求項２に記載の方法。
【請求項４】
前記フィードバック情報は、前記第２端末から送信された前記データに対応するフィードバック情報であり、
前記測定情報は、前記第２端末から送信された前記測定信号に対応する測定情報であることを特徴とする
請求項２に記載の方法。
【請求項５】
前記ＰＳＣＣＨがフィードバック情報及び／又は測定情報を含む場合、
前記第１端末が、ＰＳＣＣＨにおけるサイドリンク制御情報（ＳＣＩ）を介して、前記フィードバック情報及び／又は前記測定情報を前記第２端末に送信し、前記ＳＩＣには、前記フィードバック情報及び／又は前記測定情報が含まれることを特徴とする
請求項１から４のいずれか一項に記載の方法。
【請求項６】
前記ＰＳＣＣＨが、前記第１端末の識別情報、前記第２端末の識別情報、グループ識別情報のうちの少なくとも１つを更に含むことを特徴とする
請求項５に記載の方法。
【請求項７】
前記第１端末の識別情報は、前記ＰＳＣＣＨにおけるＳＣＩによって搬送されるか、又は前記第２端末の識別情報は、前記ＰＳＣＣＨにおけるＳＣＩによって搬送されるか、又は前記グループ識別情報は、前記ＰＳＣＣＨにおけるＳＣＩによって搬送されることを特徴とする
請求項６に記載の方法。
【請求項８】
前記ＰＳＣＣＨが、前記第１端末の識別情報、前記第２端末の識別情報、グループ識別情報のうちの少なくとも１つを更に含むことは、
前記ＰＳＣＣＨの対応するスクランブリングシーケンスが、前記第１端末の識別情報、前記第２端末の識別情報、グループ識別情報のうちの少なくとも１つを決定するためのものであることを含むことを特徴とする
請求項６に記載の方法。
【請求項９】
前記ＰＳＣＣＨが、前記第１端末の識別情報、前記第２端末の識別情報、グループ識別情報のうちの少なくとも１つを更に含むことは、
前記ＰＳＣＣＨにおけるＳＣＩが対応するマスキングシーケンスが、前記第１端末の識別情報、前記第２端末の識別情報、グループ識別情報のうちの少なくとも１つを決定するためのものであることを含むことを特徴とする
請求項６に記載の方法。
【請求項１０】
前記ＳＣＩには、リソーススケジューリング情報が含まれないことを特徴とする
請求項５から９のいずれか一項に記載の方法。
【請求項１１】
前記ＳＣＩには第１指示情報が含まれ、前記第１指示情報は、前記ＳＣＩにフォードバック情報及び／又は測定情報が含まれることを示すためのものであるか、又は、前記第１指示情報は、ＳＣＩフォーマットを示すためのものであることを特徴とする
請求項５から１０のいずれか一項に記載の方法。
【請求項１２】
前記方法は、
前記第１端末が、リソースセンシングを行い、少なくとも１つの利用可能なリソースを決定し、前記少なくとも１つの利用可能なリソースから、前記ＰＳＣＣＨを伝送するためのリソースを選択することを更に含むことを特徴とする
請求項１から１１のいずれか一項に記載の方法。
【請求項１３】
前記方法は、
前記第１端末が、前記第２端末から送信された前記データに対応する伝送リソースに基づいて、前記ＰＳＣＣＨを伝送するためのリソースを決定するか、又は、
前記第１端末が、前記第２端末から送信された前記測定信号に対応する伝送リソースに基づいて、前記ＰＳＣＣＨを伝送するためのリソースを決定することを更に含むことを特徴とする
請求項２から１０のいずれか一項に記載の方法。
【請求項１４】
前記方法は、
前記第１端末が、前記第２端末から送信された第２指示情報に基づいて、前記ＰＳＣＣＨを伝送するためのリソースを決定し、前記第２指示情報が前記第２端末から送信されたデータによって搬送されるか、又は前記第２指示情報が前記第２端末から送信されたデータの対応する制御情報によって搬送されることを更に含むことを特徴とする
請求項２から１０のいずれか一項に記載の方法。
【請求項１５】
前記ＰＳＳＣＨがフィードバック情報及び／又は測定情報を含む場合、
前記第１端末は、ＰＳＳＣＨにおける媒体アクセス制御（ＭＡＣ）制御エレメント（ＣＥ）を介して、前記フィードバック情報及び／又は前記測定情報を前記第２端末に送信し、前記ＭＡＣ  ＣＥに、前記フィードバック情報及び／又は前記測定情報が含まれることを特徴とする
請求項１から４のいずれか一項に記載の方法。
【請求項１６】
前記ＰＳＳＣＨがフィードバック情報及び／又は測定情報を含む場合、
前記フィードバック情報及び／又は測定情報は、前記ＰＳＳＣＨの使用する伝送リソース内の第１リソースサブセットを占用し、前記第１リソースサブセットは、第１基準に基づいて決定されるものであり、前記第１基準は、予め設定されたもの又はネットワークによって設定されたものであることを特徴とする
請求項１から４のいずれか一項に記載の方法。
【請求項１７】
前記第１基準は、
前記フィードバック情報及び／又は測定情報の伝送リソースが、前記ＰＳＳＣＨのＤＭＲＳシンボルにおける伝送リソースであり、且つ前記フィードバック情報及び／又は測定情報の伝送リソースが前記ＰＳＳＣＨのＤＭＲＳの伝送リソースを占用してはならないこと、又は
前記フィードバック情報及び／又は測定情報の伝送リソースが、前記ＰＳＳＣＨのＤＭＲＳシンボルに隣接する時間領域シンボルにおける伝送リソースであることを含むことを特徴とする
請求項１６に記載の方法。
【請求項１８】
前記方法は、
前記第１リソースサブセットの大きさが、前記フィードバック情報及び／又は測定情報の情報ビットをチャネル符号化又は変調して得られたシンボル数によって決定されることを更に含むことを特徴とする
請求項１６又は１７に記載の方法。
【請求項１９】
前記フィードバック情報及び／又は測定情報が前記ＰＳＳＣＨの使用する伝送リソース内の第１リソースサブセットを占用することは、
前記第１リソースサブセットにおける前記ＰＳＳＣＨのデータが、前記フィードバック情報及び／又は測定情報によってパンクチャリングされるか又は置き換えられることを含むことを特徴とする
請求項１６から１８のいずれか一項に記載の方法。
【請求項２０】
前記ＰＳＳＣＨに、前記第１端末の識別情報、前記第２端末の識別情報、グループ識別情報のうちの少なくとも１つを更に含むことを特徴とする
請求項１５から１９のいずれか一項に記載の方法。
【請求項２１】
前記第１端末の識別情報は、前記ＰＳＳＣＨにおけるＭＡＣ  ＣＥによって搬送されるか、又は前記第２端末の識別情報は、前記ＰＳＳＣＨにおけるＭＡＣ  ＣＥによって搬送されるか、又は前記グループ識別情報は、前記ＰＳＳＣＨにおけるＭＡＣ  ＣＥによって搬送されることを特徴とする
請求項２０に記載の方法。
【請求項２２】
前記ＰＳＳＣＨに、前記第１端末の識別情報、前記第２端末の識別情報、グループ識別情報のうちの少なくとも１つを更に含むことは、
前記ＰＳＳＣＨの対応するスクランブリングシーケンスが、前記第１端末の識別情報、前記第２端末の識別情報、グループ識別情報のうちの少なくとも１つを決定するためのものであることを含むことを特徴とする
請求項２０に記載の方法。
【請求項２３】
前記方法は、
前記第１端末が、第５指示情報を前記第２端末に送信することを更に含み、前記第５指示情報が、
前記フィードバック情報のタイプ、
前記フィードバック情報のタイプに対応するビット数、
前記測定情報のタイプ、
前記測定情報のタイプに対応するビット数のうちの少なくとも１つを示すためのものであることを特徴とする
請求項１６から２２のいずれか一項に記載の方法。
【請求項２４】
前記第５指示情報は、前記ＰＳＳＣＨに含まれるか、又は前記第５指示情報は、前記ＰＳＳＣＨに対応するＰＳＣＣＨに含まれることを特徴とする
請求項２３に記載の方法。
【請求項２５】
前記方法は、
前記第１端末が第６指示情報を取得し、前記第６指示情報が、
前記第１端末により送信されるフィードバック情報のタイプ、
前記第１端末により送信されるフィードバック情報のタイプに対応するビット数、
前記第１端末により送信される前記測定情報のタイプ、
前記第１端末により送信される前記測定情報のタイプに対応するビット数のうちの少なくとも１つを示すためのものであることを更に含むことを特徴とする
請求項１から２４のいずれか一項に記載の方法。
【請求項２６】
前記第１端末が第６指示情報を取得することは、
前記第１端末が、前記第２端末から送信された第１サイドリンク伝送チャネルを受信することを含み、前記第６指示情報が前記第１サイドリンク伝送チャネルに含まれることを特徴とする
請求項２５に記載の方法。
【請求項２７】
前記第１端末が第６指示情報を取得することは、
前記第１端末が、ネットワークから送信された構成情報を受信し、前記構成情報には前記第６指示情報が含まれることを含むことを特徴とする
請求項２５に記載の方法。
【請求項２８】
前記方法は、
前記第１端末が、リソースセンシングを行い、少なくとも１つの利用可能なリソースを決定し、前記少なくとも１つの利用可能なリソースから、前記ＰＳＳＣＨを伝送するためのリソースを選択することを更に含むことを特徴とする
請求項１から２７のいずれか一項に記載の方法。
【請求項２９】
前記方法は、
前記第１端末が、前記第２端末から送信された前記データに対応する伝送リソースに基づいて、前記ＰＳＳＣＨを伝送するためのリソースを決定するか、又は、
前記第１端末が、前記第２端末から送信された前記測定信号に対応する伝送リソースに基づいて、前記ＰＳＳＣＨを伝送するためのリソースを決定することを更に含むことを特徴とする
請求項２から２８のいずれか一項に記載の方法。
【請求項３０】
前記方法は、
前記第１端末が、前記第２端末から送信された第３指示情報に基づいて、前記ＰＳＳＣＨを伝送するためのリソースを決定し、前記第３指示情報が、前記第２端末から送信されたデータに含まれるか、又は前記第３指示情報が、前記第２端末から送信されたデータの対応する制御情報に含まれることを更に含むことを特徴とする
請求項２から２８のいずれか一項に記載の方法。
【請求項３１】
前記フィードバック情報は、
肯定応答（ＡＣＫ）／否定応答（ＮＡＣＫ）情報、ビームインデックス情報、チャンネル品質インジケータ（ＣＱＩ）情報、プリコーディングマトリックスインジケータ（ＰＭＩ）情報、ランクインジケータ（ＲＩ）情報、電力指示情報、チャネル状態インジケータ（ＣＳＩ）情報のうちの少なくとも１つを含むことを特徴とする
請求項１から３０のいずれか一項に記載の方法。
【請求項３２】
前記フィードバック情報が前記ＡＣＫ／ＮＡＣＫ情報を含む場合、前記フィードバック情報は、ハイブリッド自動再送要求ＨＡＲＱプロセス情報を更に含むことを特徴とする
請求項３１に記載の方法。
【請求項３３】
前記測定情報は、
基準信号受信電力（ＲＳＲＰ）、基準信号受信品質（ＲＳＲＱ）、受信信号強度インジケータ（ＲＳＳＩ）、干渉指示情報、伝搬損失情報のうちの少なくとも１つを含むことを特徴とする
請求項１から３２のいずれか一項に記載の方法。
【請求項３４】
データ伝送装置であって、
ＰＳＣＣＨ及び／又はＰＳＳＣＨを第２端末に送信するように構成される送信ユニットを備え、前記ＰＳＣＣＨ及び／又はＰＳＳＣＨが、フィードバック情報及び／又は測定情報を含む、前記装置。
【請求項３５】
前記装置は、
前記第２端末から送信されたデータ及び／又は測定信号を受信するように構成される受信ユニットを更に備えることを特徴とする
請求項３４に記載の装置。
【請求項３６】
前記測定信号は、
ＤＭＲＳ、ＣＳＩ−ＲＳ、ＳＲＳ、ＰＴ−ＲＳのうちの少なくとも１つを含むことを特徴とする
請求項３５に記載の装置。
【請求項３７】
前記フィードバック情報は、前記第２端末から送信された前記データに対応するフィードバック情報であり、
前記測定情報は、前記第２端末から送信された前記測定信号に対応する測定情報であることを特徴とする
請求項３５に記載の装置。
【請求項３８】
前記ＰＳＣＣＨがフィードバック情報及び／又は測定情報を含む場合、
前記送信ユニットは、ＰＳＣＣＨにおけるＳＣＩを介して、前記フィードバック情報及び／又は前記測定情報を前記第２端末に送信するように構成され、前記ＳＩＣには、前記フィードバック情報及び／又は前記測定情報が含まれることを特徴とする
請求項３４から３７のいずれか一項に記載の装置。
【請求項３９】
前記ＰＳＣＣＨが、前記第１端末の識別情報、前記第２端末の識別情報、グループ識別情報のうちの少なくとも１つを更に含むことを特徴とする
請求項３８に記載の装置。
【請求項４０】
前記第１端末の識別情報は、前記ＰＳＣＣＨにおけるＳＣＩによって搬送されるか、又は前記第２端末の識別情報は、前記ＰＳＣＣＨにおけるＳＣＩによって搬送されるか、又は前記グループ識別情報は、前記ＰＳＣＣＨにおけるＳＣＩによって搬送されることを特徴とする
請求項３９に記載の装置。
【請求項４１】
前記ＰＳＣＣＨが、前記第１端末の識別情報、前記第２端末の識別情報、グループ識別情報のうちの少なくとも１つを更に含むことは、
前記ＰＳＣＣＨの対応するスクランブリングシーケンスが、前記第１端末の識別情報、前記第２端末の識別情報、グループ識別情報のうちの少なくとも１つを決定するためのものであることを含むことを特徴とする
請求項３９に記載の装置。
【請求項４２】
前記ＰＳＣＣＨが、前記第１端末の識別情報、前記第２端末の識別情報、グループ識別情報のうちの少なくとも１つを更に含むことは、
前記ＰＳＣＣＨにおけるＳＣＩが対応するマスキングシーケンスが、前記第１端末の識別情報、前記第２端末の識別情報、グループ識別情報のうちの少なくとも１つを決定するためのものであることを含むことを特徴とする
請求項３９に記載の装置。
【請求項４３】
前記ＳＣＩには、リソーススケジューリング情報が含まれないことを特徴とする
請求項３８から４２のいずれか一項に記載の装置。
【請求項４４】
前記ＳＣＩには第１指示情報が含まれ、前記第１指示情報は、前記ＳＣＩにフォードバック情報及び／又は測定情報が含まれることを示すためのものであるか、又は、前記第１指示情報は、ＳＣＩフォーマットを示すためのものであることを特徴とする
請求項３８から４３のいずれか一項に記載の装置。
【請求項４５】
前記装置は、
リソースセンシングを行い、少なくとも１つの利用可能なリソースを決定し、前記少なくとも１つの利用可能なリソースから、前記ＰＳＣＣＨを伝送するためのリソースを選択するように構成されるリソースセンシングユニットを更に備えることを特徴とする
請求項３４から４４のいずれか一項に記載の装置。
【請求項４６】
前記装置は、
前記第２端末から送信された前記データに対応する伝送リソースに基づいて、前記ＰＳＣＣＨを伝送するためのリソースを決定するか、又は、前記第２端末から送信された前記測定信号に対応する伝送リソースに基づいて、前記ＰＳＣＣＨを伝送するためのリソースを決定するように構成されるリソース決定ユニットを更に備えることを特徴とする
請求項３５から４３のいずれか一項に記載の装置。
【請求項４７】
前記装置は、
前記第２端末から送信された第２指示情報に基づいて、前記ＰＳＣＣＨを伝送するためのリソースを決定し、前記第２指示情報が前記第２端末から送信されたデータによって搬送されるか、又は前記第２指示情報が前記第２端末から送信されたデータの対応する制御情報によって搬送されるように構成されるリソース決定ユニットを更に備えることを特徴とする
請求項３５から４３のいずれか一項に記載の装置。
【請求項４８】
前記ＰＳＳＣＨがフィードバック情報及び／又は測定情報を含む場合、
前記送信ユニットは、ＰＳＳＣＨにおけるＭＡＣ  ＣＥを介して、前記フィードバック情報及び／又は前記測定情報を前記第２端末に送信するように構成され、前記ＭＡＣ  ＣＥに、前記フィードバック情報及び／又は前記測定情報が含まれることを特徴とする
請求項３４から３７のいずれか一項に記載の装置。
【請求項４９】
前記ＰＳＳＣＨがフィードバック情報及び／又は測定情報を含む場合、
前記フィードバック情報及び／又は測定情報は、前記ＰＳＳＣＨの使用する伝送リソース内の第１リソースサブセットを占用し、前記第１リソースサブセットは、第１基準に基づいて決定されるものであり、前記第１基準は、予め設定されたもの又はネットワークによって設定されたものであることを特徴とする
請求項３４から３７のいずれか一項に記載の装置。
【請求項５０】
前記第１基準は、
前記フィードバック情報及び／又は測定情報の伝送リソースが、前記ＰＳＳＣＨのＤＭＲＳシンボルにおける伝送リソースであり、且つ前記フィードバック情報及び／又は測定情報の伝送リソースが前記ＰＳＳＣＨのＤＭＲＳの伝送リソースを占用してはならないこと、又は
前記フィードバック情報及び／又は測定情報の伝送リソースが、前記ＰＳＳＣＨのＤＭＲＳシンボルに隣接する時間領域シンボルにおける伝送リソースであることを含むことを特徴とする
請求項４９に記載の装置。
【請求項５１】
前記第１リソースサブセットの大きさは、前記フィードバック情報及び／又は測定情報の情報ビットをチャネル符号化又は変調して得られたシンボル数によって決定されることを特徴とする
請求項４９又は５０に記載の装置。
【請求項５２】
前記フィードバック情報及び／又は測定情報が前記ＰＳＳＣＨの使用する伝送リソース内の第１リソースサブセットを占用することは、
前記第１リソースサブセットにおける前記ＰＳＳＣＨのデータが、前記フィードバック情報及び／又は測定情報によってパンクチャリングされるか又は置き換えられることを含むことを特徴とする
請求項４９から５１のいずれか一項に記載の装置。
【請求項５３】
前記ＰＳＳＣＨに、前記第１端末の識別情報、前記第２端末の識別情報、グループ識別情報のうちの少なくとも１つを更に含むことを特徴とする
請求項４８から５２のいずれか一項に記載の装置。
【請求項５４】
前記第１端末の識別情報は、前記ＰＳＳＣＨにおけるＭＡＣ  ＣＥによって搬送されるか、又は前記第２端末の識別情報は、前記ＰＳＳＣＨにおけるＭＡＣ  ＣＥによって搬送されるか、又は前記グループ識別情報は、前記ＰＳＳＣＨにおけるＭＡＣ  ＣＥによって搬送されることを特徴とする
請求項５３に記載の装置。
【請求項５５】
前記ＰＳＳＣＨに、前記第１端末の識別情報、前記第２端末の識別情報、グループ識別情報のうちの少なくとも１つを更に含むことは、
前記ＰＳＳＣＨの対応するスクランブリングシーケンスが、前記第１端末の識別情報、前記第２端末の識別情報、グループ識別情報のうちの少なくとも１つを決定するためのものであることを含むことを特徴とする
請求項５３に記載の装置。
【請求項５６】
前記送信ユニットは更に、第５指示情報を前記第２端末に送信するように構成され、前記第５指示情報が、
前記フィードバック情報のタイプ、
前記フィードバック情報のタイプに対応するビット数、
前記測定情報のタイプ、
前記測定情報のタイプに対応するビット数のうちの少なくとも１つを示すためのものであることを特徴とする
請求項４９から５５のいずれか一項に記載の装置。
【請求項５７】
前記第５指示情報は、前記ＰＳＳＣＨに含まれるか、又は前記第５指示情報は、前記ＰＳＳＣＨに対応するＰＳＣＣＨに含まれることを特徴とする
請求項５６に記載の装置。
【請求項５８】
前記装置は、
第６指示情報を取得するように構成される受信ユニットを更に備え、前記第６指示情報が、
前記第１端末により送信されるフィードバック情報のタイプ、
前記第１端末により送信されるフィードバック情報のタイプに対応するビット数、
前記第１端末により送信される前記測定情報のタイプ、
前記第１端末により送信される前記測定情報のタイプに対応するビット数のうちの少なくとも１つを示すためのものであることを特徴とする
請求項３４から５７のいずれか一項に記載の装置。
【請求項５９】
前記受信ユニットは、前記第２端末から送信された第１サイドリンク伝送チャネルを受信し、前記第６指示情報が前記第１サイドリンク伝送チャネルに含まれるように構成されることを特徴とする
請求項５８に記載の装置。
【請求項６０】
前記受信ユニットは、ネットワークから送信された構成情報を受信し、前記構成情報には前記第６指示情報が含まれるように構成されることを特徴とする
請求項５８に記載の装置。
【請求項６１】
前記装置は、
リソースセンシングを行い、少なくとも１つの利用可能なリソースを決定し、前記少なくとも１つの利用可能なリソースから、前記ＰＳＳＣＨを伝送するためのリソースを選択するように構成されるリソースセンシングユニットを更に備えることを特徴とする
請求項３４から６０のいずれか一項に記載の装置。
【請求項６２】
前記装置は、
前記第２端末から送信された前記データに対応する伝送リソースに基づいて、前記ＰＳＳＣＨを伝送するためのリソースを決定するか、又は、前記第２端末から送信された前記測定信号に対応する伝送リソースに基づいて、前記ＰＳＳＣＨを伝送するためのリソースを決定するように構成されるリソース決定ユニットを更に備えることを特徴とする
請求項３５から６１のいずれか一項に記載の装置。
【請求項６３】
前記装置は、
前記第２端末から送信された第３指示情報に基づいて、前記ＰＳＳＣＨを伝送するためのリソースを決定し、前記第３指示情報が、前記第２端末から送信されたデータに含まれるか、又は前記第３指示情報が、前記第２端末から送信されたデータの対応する制御情報に含まれるように構成されるリソース決定ユニットを更に備えることを特徴とする
請求項３５から６１のいずれか一項に記載の装置。
【請求項６４】
前記フィードバック情報は、
ＡＣＫ／ＮＡＣＫ情報、ビームインデックス情報、ＣＱＩ情報、ＰＭＩ情報、ＲＩ情報、電力指示情報、ＣＳＩ情報のうちの少なくとも１つを含むことを特徴とする
請求項３４から６３のいずれか一項に記載の装置。
【請求項６５】
前記フィードバック情報が前記ＡＣＫ／ＮＡＣＫ情報を含む場合、前記フィードバック情報は、ＨＡＲＱプロセス情報を更に含むことを特徴とする
請求項６４に記載の装置。
【請求項６６】
前記測定情報は、
ＲＳＲＰ、ＲＳＲＱ、ＲＳＳＩ、干渉指示情報、伝搬損失情報のうちの少なくとも１つを含むことを特徴とする
請求項３４から６５のいずれか一項に記載の装置。
【請求項６７】
コンピュータ記憶媒体であって、コンピュータによる実行可能な命令が記憶されており、該コンピュータによる実行可能な命令がプロセッサにより実行される時、請求項１から３３のいずれか一項に記載の方法の工程を実現させる、前記コンピュータ記憶媒体。  
【発明の詳細な説明】
【技術分野】
【０００１】
本出願は、無線通信技術分野に関し、特に、データ伝送方法及び装置、コンピュータ記憶媒体に関する。
【背景技術】
【０００２】
車のインターネットシステムは、長期的進化（ＬＴＥ：Ｌｏｎｇ  Ｔｅｒｍ  Ｅｖｏｌｕｔｉｏｎ）−端末間（Ｄ２Ｄ：Ｄｅｖｉｃｅ  ｔｏ  Ｄｅｖｉｃｅ）通信に基づいたサイドリンク（ＳＬ：Ｓｉｄｅｌｉｎｋ）伝送技術を利用する。従来のＬＴＥシステムにおける基地局による通信デー送受信の方式と異なっており、車のインターネットシステムは、端末間で直接通信するという方式を利用するため、より高いスペクトル効率及びより低い伝送遅延を有する。
【０００３】
３ＧＰＰ  Ｒｅｌ−１４において、車のインターネット技術（Ｖ２Ｘ：Ｖｅｈｉｃｌｅ  ｔｏ  Ｅｖｅｒｙｔｈｉｎｇ）が標準化されており、モード３及びモード４という２つの伝送モードが定義される。モード３において、端末の伝送リソースは基地局により割り当てられる。モード４において、端末は、センシング（ｓｅｎｓｉｎｇ）＋リザーブ（ｒｅｓｅｒｖａｔｉｏｎ）の方式で伝送リソースを決定する。
【０００４】
ＮＲ−Ｖ２Ｘにおいて、自動運転をサポートする必要があるため、車両同士間のデータ交換に対して、より高いスループット、より低い遅延、より高い信頼性、より大きいカバレッジ範囲、より柔軟なリソース割り当て等のようなより厳しい要件が求められる。上記要件を満たすために、ＮＲ−Ｖ２Ｘにマルチアンテナ伝送技術を導入する必要がある。マルチアンテナ伝送技術において、送信側が複数の候補ビームから最適なビームをどのように選択するかは、受信側からフィードバックされた最適なビームのインデックス値に基づいて決定されるものである。
【０００５】
また、ＮＲ−Ｖ２Ｘは、ユニキャスト（ｕｎｉｃａｓｔ）、グループキャスト（ｇｒｏｕｐｃａｓｔ）、ブロードキャストチャネル（ｂｒｏａｄｃａｓｔ）のような様々な伝送方式をサポートする必要がある。ユニキャスト伝送を行う時、受信側は、肯定応答（ＡＣＫ）／否定応答（ＮＡＣＫ）情報、チャンネル品質インジケータ（ＣＱＩ：Ｃｈａｎｎｅｌ  Ｑｕａｌｉｔｙ  Ｉｎｄｉｃａｔｏｒ）情報をフィードバックする必要がある。送信側は、受信側からフィードバックされた情報に基づいて、変調・符号化方式（ＭＣＳ：Ｍｕｄｕｌａｔｉｏｎ  ａｎｄ  Ｃｏｄｉｎｇ  Ｓｃｈｅｍｅ）の調整、再送の必要性に関する判断等を行うことができる。
【発明の概要】
【発明が解決しようとする課題】
【０００６】
これに鑑み、ＮＲ−Ｖ２Ｘにおいて、フィードバック情報を伝送するためのフィードバックチャネルをどのように設計するかは、解決すべき課題となる。
【課題を解決するための手段】
【０００７】
本出願の実施例は、データ伝送方法及び装置、コンピュータ記憶媒体を提供する。
【０００８】
本出願の実施例が提供するデータ伝送方法は、
第1端末が、フィードバック情報及び／又は測定情報を含む物理サイドリンク制御チャネル（ＰＳＣＣＨ：Ｐｈｙｓｉｃａｌ  Ｓｉｄｅｌｉｎｋ  Ｃｏｎｔｒｏｌ  Ｃｈａｎｎｅｌ）及び／又は物理サイドリンク共有チャネル（ＰＳＳＣＨ：Ｐｈｙｓｉｃａｌ  Ｓｉｄｅｌｉｎｋ  Ｓｈａｒｅｄ  Ｃｈａｎｎｅｌ）を第２端末に送信することを含む。
【０００９】
本出願の実施例において、前記方法は、
前記第１端末がＰＳＣＣＨ及び／又はＰＳＳＣＨを前記第２端末に送信する前に、前記第１端末が、前記第２端末から送信されたデータ及び／又は測定信号を受信することを更に含む。
【００１０】
本出願の実施例において、前記フィードバック情報は、前記第２端末から送信された前記データに対応するフィードバック情報であり、
前記測定情報は、前記第２端末から送信された前記測定信号に対応する測定情報である。
【００１１】
本出願の実施例において、前記ＰＳＣＣＨがフィードバック情報及び／又は測定情報を含む場合、
前記第１端末は、ＰＳＣＣＨにおけるサイドリンク制御情報（ＳＣＩ：Ｓｉｄｅｌｉｎｋ  Ｃｏｎｔｒｏｌ  Ｉｎｆｏｒｍａｔｉｏｎ）を介して、前記フィードバック情報及び／又は前記測定情報を前記第２端末に送信し、前記ＳＩＣには、前記フィードバック情報及び／又は前記測定情報が含まれる。
【００１２】
本出願の実施例において、前記ＰＳＣＣＨが、前記第１端末の識別情報、前記第２端末の識別情報、グループ識別情報のうちの少なくとも１つを更に含む。
【００１３】
本出願の実施例において、前記第１端末の識別情報は、前記ＰＳＣＣＨにおけるＳＣＩによって搬送されるか、又は前記第２端末の識別情報は、前記ＰＳＣＣＨにおけるＳＣＩによって搬送されるか、又は前記グループ識別情報は、前記ＰＳＣＣＨにおけるＳＣＩによって搬送される。
【００１４】
本出願の実施例において、前記ＰＳＣＣＨが、前記第１端末の識別情報、前記第２端末の識別情報、グループ識別情報のうちの少なくとも１つを更に含むことは、
前記ＰＳＣＣＨの対応するスクランブリングシーケンスが、前記第１端末の識別情報、前記第２端末の識別情報、グループ識別情報のうちの少なくとも１つを決定するためのものであることを含む。
【００１５】
本出願の実施例において、前記ＰＳＣＣＨが、前記第１端末の識別情報、前記第２端末の識別情報、グループ識別情報のうちの少なくとも１つを更に含むことは、
前記ＰＳＣＣＨにおけるＳＣＩが対応するマスキングシーケンスが、前記第１端末の識別情報、前記第２端末の識別情報、グループ識別情報のうちの少なくとも１つを決定するためのものであることを含む。
【００１６】
本出願の実施例において、前記ＳＣＩには、リソーススケジューリング情報が含まれない。
【００１７】
本出願の実施例において、前記ＳＣＩには第１指示情報が含まれ、前記第１指示情報は、前記ＳＣＩにフォードバック情報及び／又は測定情報が含まれることを示すためのものであるか、又は、前記第１指示情報は、ＳＣＩフォーマットを示すためのものである。
【００１８】
本出願の実施例において、前記方法は、
前記第１端末が、リソースセンシングを行い、少なくとも１つの利用可能なリソースを決定し、前記少なくとも１つの利用可能なリソースから、前記ＰＳＣＣＨを伝送するためのリソースを選択することを更に含む。
【００１９】
本出願の実施例において、前記方法は、
前記第１端末が、前記第２端末から送信された前記データに対応する伝送リソースに基づいて、前記ＰＳＣＣＨを伝送するためのリソースを決定するか、又は、
前記第１端末が、前記第２端末から送信された前記測定信号に対応する伝送リソースに基づいて、前記ＰＳＣＣＨを伝送するためのリソースを決定することを更に含む。
【００２０】
本出願の実施例において、前記方法は、
前記第１端末が、前記第２端末から送信された第２指示情報に基づいて、前記ＰＳＣＣＨを伝送するためのリソースを決定し、前記第２指示情報が前記第２端末から送信されたデータによって搬送されるか、又は前記第２指示情報が前記第２端末から送信されたデータの対応する制御情報によって搬送されることを更に含む。
【００２１】
本出願の実施例において、前記ＰＳＳＣＨがフィードバック情報及び／又は測定情報を含む場合、
前記第１端末は、ＰＳＳＣＨにおける媒体アクセス制御（ＭＡＣ：Ｍｅｄｉａ  Ａｃｃｅｓｓ  Ｃｏｎｔｒｏｌ）制御エレメント（ＣＥ：Ｃｏｎｔｒｏｌ  Ｅｌｅｍｅｎｔ）を介して、前記フィードバック情報及び／又は前記測定情報を前記第２端末に送信し、前記ＭＡＣ  ＣＥに、前記フィードバック情報及び／又は前記測定情報が含まれる。
【００２２】
本出願の実施例において、前記ＰＳＳＣＨがフィードバック情報及び／又は測定情報を含む場合、
前記フィードバック情報及び／又は測定情報は、前記ＰＳＳＣＨの使用する伝送リソース内の第１リソースサブセットを占用し、前記第１リソースサブセットは、第１基準に基づいて決定されるものであり、前記第１基準は、予め設定されたもの又はネットワークによって設定されたものである。
【００２３】
本出願の実施例において、前記第１基準は、
前記フィードバック情報及び／又は測定情報の伝送リソースが、前記ＰＳＳＣＨのＤＭＲＳシンボルにおける伝送リソースであり、且つ前記フィードバック情報及び／又は測定情報の伝送リソースが前記ＰＳＳＣＨのＤＭＲＳの伝送リソースを占用してはならないこと、又は
前記フィードバック情報及び／又は測定情報の伝送リソースが、前記ＰＳＳＣＨのＤＭＲＳシンボルに隣接する時間領域シンボルにおける伝送リソースであることを含む。
【００２４】
本出願の実施例において、前記方法は、
前記第１リソースサブセットの大きさが、前記フィードバック情報及び／又は測定情報の情報ビットをチャネル符号化又は変調して得られたシンボル数によって決定されることを更に含む。
【００２５】
本出願の実施例において、前記フィードバック情報及び／又は測定情報が前記ＰＳＳＣＨの使用する伝送リソース内の第１リソースサブセットを占用することは、
前記第１リソースサブセットにおける前記ＰＳＳＣＨのデータが、前記フィードバック情報及び／又は測定情報によってパンクチャリングされるか又は置き換えられることを含む。
【００２６】
本出願の実施例において、前記ＰＳＳＣＨに、前記第１端末の識別情報、前記第２端末の識別情報、グループ識別情報のうちの少なくとも１つを更に含む。
【００２７】
本出願の実施例において、前記第１端末の識別情報は、前記ＰＳＳＣＨにおけるＭＡＣ  ＣＥによって搬送されるか、又は前記第２端末の識別情報は、前記ＰＳＳＣＨにおけるＭＡＣ  ＣＥによって搬送されるか、又は前記グループ識別情報は、前記ＰＳＳＣＨにおけるＭＡＣ  ＣＥによって搬送される。
【００２８】
本出願の実施例において、前記ＰＳＳＣＨに、前記第１端末の識別情報、前記第２端末の識別情報、グループ識別情報のうちの少なくとも１つを更に含むことは、
前記ＰＳＳＣＨの対応するスクランブリングシーケンスが、前記第１端末の識別情報、前記第２端末の識別情報、グループ識別情報のうちの少なくとも１つを決定するためのものであることを含む。
【００２９】
本出願の実施例において、前記方法は、
前記第１端末が、リソースセンシングを行い、少なくとも１つの利用可能なリソースを決定し、前記少なくとも１つの利用可能なリソースから、前記ＰＳＳＣＨを伝送するためのリソースを選択することを更に含む。
【００３０】
本出願の実施例において、前記方法は、
前記第１端末が、前記第２端末から送信された前記データに対応する伝送リソースに基づいて、前記ＰＳＳＣＨを伝送するためのリソースを決定するか、又は、
前記第１端末が、前記第２端末から送信された前記測定信号に対応する伝送リソースに基づいて、前記ＰＳＳＣＨを伝送するためのリソースを決定することを更に含む。
【００３１】
本出願の実施例において、前記方法は、
前記第１端末が、前記第２端末から送信された第３指示情報に基づいて、前記ＰＳＳＣＨを伝送するためのリソースを決定し、前記第３指示情報が、前記第２端末から送信されたデータに含まれるか、又は前記第３指示情報が、前記第２端末から送信されたデータの対応する制御情報に含まれることを更に含む。
【００３２】
本出願の実施例において、前記フィードバック情報は、
肯定応答（ＡＣＫ）／否定応答（ＮＡＣＫ）情報、ビームインデックス情報、チャンネル品質インジケータ（ＣＱＩ：Ｃｈａｎｎｅｌ  Ｑｕａｌｉｔｙ  Ｉｎｄｉｃａｔｉｏｎ）情報、プリコーディングマトリックスインジケータ（ＰＭＩ：Ｐｒｅｃｏｄｉｎｇ  Ｍａｔｒｉｘ  Ｉｎｄｉｃａｔｉｏｎ）情報、ランクインジケータ（ＲＩ：Ｒａｎｋ  Ｉｎｄｉｃａｔｉｏｎ）情報、電力指示情報、チャネル状態インジケータ（ＣＳＩ：Ｃｈａｎｎｅｌ  Ｓｔａｔｅ  Ｉｎｄｉｃａｔｉｏｎ）情報のうちの少なくとも１つを含む。
【００３３】
本出願の実施例において、前記フィードバック情報が前記ＡＣＫ／ＮＡＣＫ情報を含む場合、前記フィードバック情報は、ハイブリッド自動再送要求ＨＡＲＱプロセス情報を更に含む。
【００３４】
本出願の実施例が提供するデータ伝送装置は、
ＰＳＣＣＨ及び／又はＰＳＳＣＨを第２端末に送信するように構成される送信ユニットを備え、前記ＰＳＣＣＨ及び／又はＰＳＳＣＨが、フィードバック情報及び／又は測定情報を含む。
【００３５】
本出願の実施例において、前記装置は、
前記第２端末から送信されたデータ及び／又は測定信号を受信するように構成される受信ユニットを更に備える。
【００３６】
本出願の実施例において、前記フィードバック情報は、前記第２端末から送信された前記データに対応するフィードバック情報であり、
前記測定情報は、前記第２端末から送信された前記測定信号に対応する測定情報である。
【００３７】
本出願の実施例において、前記ＰＳＣＣＨがフィードバック情報及び／又は測定情報を含む場合、
前記送信ユニットは、ＰＳＣＣＨにおけるＳＣＩを介して、前記フィードバック情報及び／又は前記測定情報を前記第２端末に送信するように構成され、前記ＳＩＣには、前記フィードバック情報及び／又は前記測定情報が含まれる。
【００３８】
本出願の実施例において、前記ＰＳＣＣＨが、前記第１端末の識別情報、前記第２端末の識別情報、グループ識別情報のうちの少なくとも１つを更に含む。
【００３９】
本出願の実施例において、前記第１端末の識別情報は、前記ＰＳＣＣＨにおけるＳＣＩによって搬送されるか、又は前記第２端末の識別情報は、前記ＰＳＣＣＨにおけるＳＣＩによって搬送されるか、又は前記グループ識別情報は、前記ＰＳＣＣＨにおけるＳＣＩによって搬送される。
【００４０】
本出願の実施例において、前記ＰＳＣＣＨが、前記第１端末の識別情報、前記第２端末の識別情報、グループ識別情報のうちの少なくとも１つを更に含むことは、
前記ＰＳＣＣＨの対応するスクランブリングシーケンスが、前記第１端末の識別情報、前記第２端末の識別情報、グループ識別情報のうちの少なくとも１つを決定するためのものであることを含む。
【００４１】
本出願の実施例において、前記ＰＳＣＣＨが、前記第１端末の識別情報、前記第２端末の識別情報、グループ識別情報のうちの少なくとも１つを更に含むことは、
前記ＰＳＣＣＨにおけるＳＣＩが対応するマスキングシーケンスが、前記第１端末の識別情報、前記第２端末の識別情報、グループ識別情報のうちの少なくとも１つを決定するためのものであることを含む。
【００４２】
本出願の実施例において、前記ＳＣＩには、リソーススケジューリング情報が含まれない。
【００４３】
本出願の実施例において、前記ＳＣＩには第１指示情報が含まれ、前記第１指示情報は、前記ＳＣＩにフォードバック情報及び／又は測定情報が含まれることを示すためのものであるか、又は、前記第１指示情報は、ＳＣＩフォーマットを示すためのものである。
【００４４】
本出願の実施例において、前記装置は、
リソースセンシングを行い、少なくとも１つの利用可能なリソースを決定し、前記少なくとも１つの利用可能なリソースから、前記ＰＳＣＣＨを伝送するためのリソースを選択するように構成されるリソースセンシングユニットを更に備える。
【００４５】
本出願の実施例において、前記装置は、
前記第２端末から送信された前記データに対応する伝送リソースに基づいて、前記ＰＳＣＣＨを伝送するためのリソースを決定するか、又は、前記第２端末から送信された前記測定信号に対応する伝送リソースに基づいて、前記ＰＳＣＣＨを伝送するためのリソースを決定するように構成されるリソース決定ユニットを更に備える。
【００４６】
本出願の実施例において、前記装置は、
前記第２端末から送信された第２指示情報に基づいて、前記ＰＳＣＣＨを伝送するためのリソースを決定し、前記第２指示情報が前記第２端末から送信されたデータによって搬送されるか、又は前記第２指示情報が前記第２端末から送信されたデータの対応する制御情報によって搬送されるように構成されるリソース決定ユニットを更に備える。
【００４７】
本出願の実施例において、前記ＰＳＳＣＨがフィードバック情報及び／又は測定情報を含む場合、
前記送信ユニットは、ＰＳＳＣＨにおけるＭＡＣ  ＣＥを介して、前記フィードバック情報及び／又は前記測定情報を前記第２端末に送信するように構成され、前記ＭＡＣ  ＣＥに、前記フィードバック情報及び／又は前記測定情報が含まれる。
【００４８】
本出願の実施例において、前記ＰＳＳＣＨがフィードバック情報及び／又は測定情報を含む場合、
前記フィードバック情報及び／又は測定情報は、前記ＰＳＳＣＨの使用する伝送リソース内の第１リソースサブセットを占用し、前記第１リソースサブセットは、第１基準に基づいて決定されるものであり、前記第１基準は、予め設定されたもの又はネットワークによって設定されたものである。
【００４９】
本出願の実施例において、前記第１基準は、
前記フィードバック情報及び／又は測定情報の伝送リソースが、前記ＰＳＳＣＨのＤＭＲＳシンボルにおける伝送リソースであり、且つ前記フィードバック情報及び／又は測定情報の伝送リソースが前記ＰＳＳＣＨのＤＭＲＳの伝送リソースを占用してはならないこと、又は
前記フィードバック情報及び／又は測定情報の伝送リソースが、前記ＰＳＳＣＨのＤＭＲＳシンボルに隣接する時間領域シンボルにおける伝送リソースであることを含む。
【００５０】
本出願の実施例において、前記第１リソースサブセットの大きさは、前記フィードバック情報及び／又は測定情報の情報ビットをチャネル符号化又は変調して得られたシンボル数によって決定される。
【００５１】
本出願の実施例において、前記フィードバック情報及び／又は測定情報が前記ＰＳＳＣＨの使用する伝送リソース内の第１リソースサブセットを占用することは、
前記第１リソースサブセットにおける前記ＰＳＳＣＨのデータが、前記フィードバック情報及び／又は測定情報によってパンクチャリングされるか又は置き換えられることを含む。
【００５２】
本出願の実施例において、前記ＰＳＳＣＨに、前記第１端末の識別情報、前記第２端末の識別情報、グループ識別情報のうちの少なくとも１つを更に含む。
【００５３】
本出願の実施例において、前記第１端末の識別情報は、前記ＰＳＳＣＨにおけるＭＡＣ  ＣＥによって搬送されるか、又は前記第２端末の識別情報は、前記ＰＳＳＣＨにおけるＭＡＣ  ＣＥによって搬送されるか、又は前記グループ識別情報は、前記ＰＳＳＣＨにおけるＭＡＣ  ＣＥによって搬送される。
【００５４】
本出願の実施例において、前記ＰＳＳＣＨに、前記第１端末の識別情報、前記第２端末の識別情報、グループ識別情報のうちの少なくとも１つを更に含むことは、
前記ＰＳＳＣＨの対応するスクランブリングシーケンスが、前記第１端末の識別情報、前記第２端末の識別情報、グループ識別情報のうちの少なくとも１つを決定するためのものであることを含む。
【００５５】
本出願の実施例において、前記装置は、
リソースセンシングを行い、少なくとも１つの利用可能なリソースを決定し、前記少なくとも１つの利用可能なリソースから、前記ＰＳＳＣＨを伝送するためのリソースを選択するように構成されるリソースセンシングユニットを更に備える。
【００５６】
本出願の実施例において、前記装置は、
前記第２端末から送信された前記データに対応する伝送リソースに基づいて、前記ＰＳＳＣＨを伝送するためのリソースを決定するか、又は、前記第２端末から送信された前記測定信号に対応する伝送リソースに基づいて、前記ＰＳＳＣＨを伝送するためのリソースを決定するように構成されるリソース決定ユニットを更に備える。
【００５７】
本出願の実施例において、前記装置は、
前記第２端末から送信された第３指示情報に基づいて、前記ＰＳＳＣＨを伝送するためのリソースを決定し、前記第３指示情報が、前記第２端末から送信されたデータに含まれるか、又は前記第３指示情報が、前記第２端末から送信されたデータの対応する制御情報に含まれるように構成されるリソース決定ユニットを更に備える。
【００５８】
本出願の実施例において、前記フィードバック情報は、
ＡＣＫ／ＮＡＣＫ情報、ビームインデックス情報、ＣＱＩ情報、ＰＭＩ情報、ＲＩ情報、電力指示情報、ＣＳＩ情報のうちの少なくとも１つを含む。
【００５９】
本出願の実施例において、前記フィードバック情報が前記ＡＣＫ／ＮＡＣＫ情報を含む場合、前記フィードバック情報は、（ＨＡＲＱ：Ｈｙｂｒｉｄ  Ａｕｔｏｍａｔｉｃ  Ｒｅｐｅａｔ  ｒｅＱｕｅｓｔ）プロセス情報を更に含む。
【００６０】
本出願の実施例が提供するコンピュータ記憶媒体に、コンピュータによる実行可能な命令が記憶されており、該コンピュータによる実行可能な命令がプロセッサにより実行される時、上記データ伝送方法を実現させる。
【００６１】
本出願の実施例の考案において、第１端末は、ＰＳＣＣＨ及び／又はＰＳＳＣＨを第２端末に送信し、前記ＰＳＣＣＨ及び／又はＰＳＳＣＨがフィードバック情報及び／又は測定情報を含む。本出願の実施例の考案によると、フィードバック情報及び／又は測定情報をＰＳＣＣＨ又はＰＳＳＣＨによって送信し、それによって、新たなフィードバックチャネルの設計を避ける。また、フィードバックを行う端末（即ち、第１端末）は、リソースセンシング方式で、フィードバックチャネル（即ちＰＳＣＣＨ又はＰＳＳＣＨ）の伝送リソースを決定するか、又は第２端末から送信されたデータ又は測定信号の伝送リソースに基づいて、フィードバックチャネル（即ちＰＳＣＣＨ又はＰＳＳＣＨ）の伝送リソースを決定することができる。
【図面の簡単な説明】
【００６２】
【図１】車のインターネットにおけるモード３のシナリオを示す概略図である。
【図２】車のインターネットにおけるモード４のシナリオを示す概略図である。
【図３】本出願の実施例によるデータ伝送方法を示すフローチャートである。
【図４】本出願の実施例によるデータ伝送装置の構成を示す概略図である。
【図５】本出願の実施例によるコンピュータ装置の構成を示す概略図である。
【発明を実施するための形態】
【００６３】
ここで説明した添付図面は、本発明の一層の理解のために含めたものであり、本明細書に導入されてその一部となる。本発明の概略的な実施例及びその説明は、本発明の解説に用いるものであるが、本発明を不当に限定するものではない。
【００６４】
本出願の実施例の特徴及び技術的要旨をより詳しく理解するために、以下、図面を参照しながら本出願の実施例を詳細に説明する。添付図面は、参照のためのものに過ぎず、本出願の実施例を限定するものではない。
【００６５】
本出願の実施例の考案を理解しやすくするために、以下、車のインターネットにおけるモード３及びモード４をそれぞれ説明する。
【００６６】
モード３：図１に示すように、車載端末の伝送リソースは、基地局（例えばＬＴＥにおける進化型基地局（ｅＮＢ：ｅｖｏｌｖｅｄ  ＮｏｄｅＢ）により割り当てられる。具体的には、基地局は、ダウンリンク（ＤＬ：Ｄｏｗｎ  Ｌｉｎｋ）により、グラント（Ｇｒａｎｔ）リソースを指示するための制御メッセージを車載端末に送信する。続いて、車載端末は、基地局により割り当てられたリソースに基づいてＳＬにおいてデータ送信を行う。モード３において、基地局は、端末に毎回用の送信リソースを割り当てることができるだけでなく、端末に半静的伝送リソースを割り当てることもできる。
【００６７】
モード４：図２に示すように、車載端末は、センシング＋リザーブの伝送方式を利用する。車載装置は、センシング方式で利用可能な伝送リソースセットをリソースプールから取得する。車載装置は、該伝送リソースセットから、１つのリソースをランダムに選択してデータ伝送を行う。車のインターネットシステムにおけるトラフィックが周期的特性を有するため、車載端末は、一般的には半静的伝送方式を利用する。即ち、車載装置は、１つの伝送リソースを選択した後に、複数の伝送周期において該リソースを使用し続け、それによって、リソース再選択及びリソース競争の確率を低減させる。車載端末は、今回伝送される制御情報で次回の伝送リソースのリザーブ情報を搬送し、それによって、他の端末が該車載端末の制御情報を検出し、該リソースが車載端末によりリザーブ又は利用されていることを判定でき、リソース競争低減の目的を達成する。
【００６８】
なお、ＬＴＥ−Ｖ２Ｘにおいて、モード３は、車載端末の伝送リソースが基地局より割り当てられることを表し、モード４は、車載端末の伝送リソースが端末により自ら選択されることを表し、ＮＲ−Ｖ２Ｘにおいて、新たな伝送モードを定義することができ、本発明はこれを限定するものではない。
【００６９】
ＮＲ−Ｖ２Ｘにおいてマルチアンテナ伝送技術を導入する必要があり、マルチアンテナを利用すると、以下のメリットを実現できる。
【００７０】
１）より高い伝送レートを得ることができ、マルチアンテナの多重伝送方式を利用して、同一の時間領域リソース上で複数のデータストリームを伝送することができるため、伝送レートを向上させる。
【００７１】
２）より大きいカバレッジ及びより高い信頼性を得ることができ、ビームフォーミング（Ｂｅａｍｆｏｒｍｉｎｇ）技術を利用して、エネルギーを狭いビーム内に集中させることができ、受信側の信号対干渉雑音比（ＳＩＮＲ：Ｓｉｇｎａｌ  ｔｏ  Ｉｎｔｅｒｆｅｒｅｎｃｅ  ｐｌｕｓ  Ｎｏｉｓｅ  Ｒａｔｉｏ）を向上させるため、受信側の受信成功率や伝送距離を向上させることができる。
【００７２】
ここで、Ｂｅａｍｆｏｒｍｉｎｇによれば、カバレッジ及び信頼性を向上させることができる。送信側は、下記プロセスにより、複数の候補ビームから最適なビームを選択する。送信側は、ビームスキャンを行い、異なるビームを利用して伝送を行う。受信側は、各ビームにより伝送されるデータを受信し、伝送品質が最も高いビームを最適なビームとして選択し、該ビームのインデックス値を送信側にフィードバックする。後続のデータ伝送において、送信側は、該最適なビームを利用してデータ伝送を行うことができる。
【００７３】
上記考案において、受信側は、ビームのインデックス値を送信側にフィードバックする必要がある。また、受信側は、ＡＣＫ／ＮＡＣＫ情報、ＣＱＩ情報等のような他のタイプの情報を送信側にフィードバックする必要もある。送信側は、異なるフィードバック情報により、異なる伝送ポリシーを作成することができる。本出願の実施例の考案は、ＮＲ−Ｖ２Ｘにおいてフィードバック情報を伝送するためのフィードバックチャネルを設計する。
【００７４】
図３は本出願の実施例によるデータ伝送方法を示すフローチャートである。図３に示すように、前記データ伝送方法は以下を含む。
【００７５】
ステップ３０１において、第１端末が、前記第２端末から送信されたデータ及び／又は測定信号を受信する。
【００７６】
本出願の実施例において、第１端末及び第２端末のタイプは限定されず、車載端末、携帯電話、ノートパソコン等のデバイスであってもよい。
【００７７】
本出願の実施例において、第１端末及び第２端末は、車のインターネットに位置し、第１端末と第２端末とは、端末間通信に基づいたサイドリンクで通信を行う。これによれば、第１端末は、サイドリンクによって、第１端末から送信されたデータ及び／又は測定信号を受信する。
【００７８】
本出願の実施例において、前記測定信号は、
復調基準信号（ＤＭＲＳ：Ｄｅｍｏｄｕｌａｔｉｏｎ  Ｒｅｆｅｒｅｎｃｅ  Ｓｉｇｎａｌ）、チャネル状態インジケータ基準信号（ＣＳＩ−ＲＳ：Ｃｈａｎｎｅｌ  Ｓｔａｔｅ  Ｉｎｄｉｃａｔｏｒ  Ｒｅｆｅｒｅｎｃｅ  Ｓｉｇｎａｌ）、サウンディング基準信号（ＳＲＳ：Ｓｏｕｎｄｉｎｇ  Ｒｅｆｅｒｅｎｃｅ  Ｓｉｇｎａｌ）、位相トラッキング基準信号（ＰＴ−ＲＳ：Ｐｈａｓｅ  Ｔｒａｃｋｉｎｇ  Ｒｅｆｅｒｅｎｃｅ  Ｓｉｇｎａｌ）のうちの少なくとも１つを含む。
【００７９】
ステップ３０２において、第１端末が、フィードバック情報及び／又は測定情報を含むＰＳＣＣＨ及び／又はＰＳＳＣＨを第２端末に送信するか、又は第１端末が、フィードバック情報及び／又は測定情報を含む第１サイドリンクチャネルを第２端末に送信する。
【００８０】
本出願の実施例において、前記フィードバック情報は、前記第２端末から送信された前記データに対応するフィードバック情報であり、前記測定情報は、前記第２端末から送信された前記測定信号に対応する測定情報である。
【００８１】
本出願の実施例において、第一終端が第２端末にフィードバック情報及び／又は測定情報を送信することは、下記３つの方式で実現することができる。
【００８２】
方式１：第１端末は、フィードバック情報及び／又は測定情報をＰＳＣＣＨによって第２端末に送信する。
【００８３】
方式２：第１端末は、フィードバック情報及び／又は測定情報をＰＳＳＣＨによって第２端末に送信する。
【００８４】
方式３：第１端末は、フィードバック情報及び／又は測定情報を第１サイドリンクチャネルによって第２端末に送信する。更に、前記第１サイドリンクチャネルは、ＰＳＣＣＨ及びＰＳＳＣＨと異なるサイドリンクチャネルである。該チャネルは、フィードバック情報の伝送に用いられる。更に、前記第１サイドリンクチャネルは、物理サイドリンクフィードバックチャネルと称される。任意選択的に、前記第１サイドリンクチャネルは、１つのサブフレームにおける最後のＫ個のシンボルを占用し、ここで、１≦Ｋ＜１４である。任意選択的に、前記第１サイドリンクチャネルは、第１端末が第２端末から送信されたデータ及び／又はサイドリンク信号を受信するためのリソースと、同一のサブフレーム又はタイムスロットに位置する。例えば、前記第２端末から第１端末に送信されたデータは、１つのサブフレームの最初から８個の時間領域シンボルを占用し、前記第１端末は該データを受信し、第１サイドリンクチャネルにおいて該データのフィードバック情報を送信し、該第１サイドリンクチャネルが、該サブフレームの最後の４個の時間領域シンボルを占用する。
【００８５】
上記考案において、前記フィードバック情報は、
ＡＣＫ／ＮＡＣＫ情報、ビームインデックス情報、ＣＱＩ情報、ＰＭＩ情報、ＲＩ情報、電力指示情報、ＣＳＩ情報のうちの少なくとも１つを含む。
【００８６】
ここで、電力指示情報は、電力上げ又は電力下げを指示するためのものである。又は、電力指示情報はパワーヘッドルーム情報（Ｐｏｗｅｒ  Ｈｅａｄ  Ｒｏｏｍ）である。ここで、パワーヘッドルーム情報は、電力上げ又は電力下げを指示するためのものであってもよい。又は電力指示情報は、第１端末がＰＳＣＣＨ又はＰＳＳＣＨを伝送する送信電力情報である。
【００８７】
ここで、ＡＣＫ／ＮＡＣＫ情報とは、ＡＣＫ情報又はＮＡＣＫ情報を指す。
【００８８】
任意選択的に、上記考案において、前記測定情報は、
基準信号受信電力（ＲＳＲＰ：Ｒｅｆｅｒｅｎｃｅ  Ｓｉｇｎａｌ  Ｒｅｃｅｉｖｅｄ  Ｐｏｗｅｒ）、基準信号受信品質（ＲＳＲＱ：Ｒｅｆｅｒｅｎｃｅ  Ｓｉｇｎａｌ  Ｒｅｃｅｉｖｅｄ  Ｑｕａｌｉｔｙ）、受信信号強度インジケータ（ＲＳＳＩ：Ｒｅｃｅｉｖｅｄ  Ｓｉｇｎａｌ  Ｓｔｒｅｎｇｔｈ  Ｉｎｄｉｃａｔｏｒ）、干渉指示情報、伝搬損失情報のうちの少なくとも１つを含む。
【００８９】
任意選択的に、上記考案におけるＲＳＲＰは、サイドリンクのＲＳＲＰであり、ＲＳＲＱは、サイドリンクのＲＳＲＱであり、ＲＳＳＩは、サイドリンクのＲＳＳＩであり、干渉指示情報は、サイドリンクの干渉を示すためのものであり、伝搬損失情報は、前記第１端末と前記第２端末との間のサイドリンクの伝搬損失を表す。以下、具体的な適用例を参照しながら本出願の実施例の考案を詳しく説明する。
【００９０】
適用実例１：
第１端末は、フィードバック情報及び／又は測定情報をＰＳＣＣＨによって第２端末に伝送し、即ち、ＰＳＣＣＨは、フィードバック情報及び／又は測定情報を含む。
【００９１】
具体的には、第１端末は、ＰＳＣＣＨにおけるＳＣＩを介して、前記第２端末に前記フィードバック情報及び／又は前記測定情報を送信し、前記ＳＣＩには、前記フィードバック情報及び／又は前記測定情報が含まれる。
【００９２】
ここで、前記フィードバック情報を搬送するために、新たなＳＣＩフォーマットを設計し、更に、前記フィードバック情報が前記ＡＣＫ／ＮＡＣＫ情報を含む場合、前記フィードバック情報はＨＡＲＱプロセス情報を更に含む。
【００９３】
一実施形態において、前記ＰＳＣＣＨが、前記第１端末の識別情報、前記第２端末の識別情報、グループ識別情報のうちの少なくとも１つを更に含む。更に、前記第１端末の識別情報は、前記ＰＳＣＣＨにおけるＳＣＩによって搬送されるか、又は前記第２端末の識別情報は、前記ＰＳＣＣＨにおけるＳＣＩによって搬送されるか、又は前記グループ識別情報は、前記ＰＳＣＣＨにおけるＳＣＩによって搬送される。例えば、ＳＣＩに、第１情報フィールドが含まれ、前記第１情報フィールドは、前記第１端末の識別情報、及び／又は前記第２端末の識別情報、及び／又は前記グループ識別情報を示すためのものである。ここで、前記グループ識別情報は、前記第１端末と前記第２端末が、グループブロードキャストチャネル通信を行う時に、異なるグループ又は異なるサービスタイプを区別するための識別情報である。
【００９４】
一実施形態において、前記ＰＳＣＣＨによって搬送されるＳＣＩの情報ビットがチャネル符号化された後に、該符号化されたシーケンスに対してスクランブリングする必要がある。前記スクランブリングシーケンスは、前記第１端末の識別情報、前記第２端末の識別情報、グループ識別情報のうちの少なくとも１つを決定するためのものであってもよい。例えば、第１端末により送信されたＰＳＣＣＨにＳＣＩが含まれる。該ＳＣＩの情報ビットをチャネル符号化、レートマッチングして得られたシーケンスは、第１シーケンスである。第１端末は、該第１シーケンスに対してスクランブリングを行い、前記スクランブリングに使用されるスクランブリングシーケンスは、前記第１端末の識別情報、及び／又は前記第２端末の識別情報、及び／又はグループ識別情報に基づいて決定される第１スクランブリングシーケンスである。第２端末は、前記第１端末から送信された該ＰＳＣＣＨを受信し、前記第１スクランブリングシーケンスを利用して、ＰＳＣＣＨに含まれるＳＣＩをデスクランブリングする時に、復号に成功した場合、該第１スクランブリングシーケンスに基づいて、前記第１端末の識別情報、及び／又は前記第２端末の識別情報、及び／又はグループ識別情報を決定することができる。
【００９５】
一実施形態において、前記ＰＳＣＣＨに含まれるＳＣＩの情報ビットを巡回冗長検査（ＣＲＣ：Ｃｙｃｌｉｃ  Ｒｅｄｕｎｄａｎｃｙ  Ｃｈｅｃｋ）した後、該シーケンスをスクランブリング処理する必要がある。前記スクランブリング処理に用いられるスクランブリングシーケンス又はマスキングシーケンスは、前記第１端末の識別情報、前記第２端末の識別情報、グループ識別情報のうちの少なくとも１つを決定するためのものであってもよい。例えば、第１端末から送信されたＰＳＣＣＨにＳＣＩが含まれ、該ＳＣＩの情報ビットをＣＲＣ処理して得られたシーケンスは、第２シーケンスである。第１端末は、該第２シーケンスをスクランブリングする。前記スクランブリングに使用されるスクランブリングシーケンス又はマスキングシーケンスは、前記第１端末の識別情報、及び／又は前記第２端末の識別情報、及び／又はグループ識別情報に基づいて決定される第２スクランブリングシーケンスである。第２端末は、前記第１端末から送信された該ＰＳＣＣＨを受信し、前記第２スクランブリングシーケンスを利用して、ＰＳＣＣＨに含まれるＳＣＩをデスクランブリング処理する時に、復号に成功した場合、該第２スクランブリングシーケンスに基づいて、前記第１端末の識別情報、及び／又は前記第２端末の識別情報、及び／又はグループ識別情報を決定することができる。
【００９６】
一実施形態において、前記ＰＳＣＣＨに含まれるＳＣＩには、前記フィードバック情報及び／又は前記測定情報が含まれ、該ＳＣＩによってスケジューリングされたＰＳＳＣＨには、前記第１端末の識別情報、前記第２端末の識別情報、グループ識別情報のうちの少なくとも１つが含まれる。
【００９７】
上記実施例において、ＳＣＩにおける情報フィールドにより、前記第１端末の識別情報、及び／又は前記第２端末の識別情報、及び／又は前記グループ識別情報を示す方法と、ＰＳＣＣＨの対応するスクランブリングシーケンス又はマスキングシーケンスによって、前記第１端末の識別情報、及び／又は前記第２端末の識別情報、及び／又は前記グループ識別情報を決定する方法と、ＳＣＩによってスケジューリングされたＰＳＳＣＨに前記第１端末の識別情報、及び／又は前記第２端末の識別情報、及び／又は前記グループ識別情報が含まれる方法とは、組み合わせて利用することができることが理解されるべきである。本出願は、これを限定するものではない。例えば、ＳＣＩに含まれる第１情報フィールドは、前記第１端末の識別情報を示すためのものであり、ＰＳＣＣＨの対応するスクランブリングシーケンスによって、前記第２端末の識別情報を決定する。また、例えば、ＳＣＩに含まれる第１情報フィールドは、前記第１端末の識別情報を示すためのものであり、ＳＣＩによってスケジューリングされたＰＳＳＣＨには、前記第２端末の識別情報が含まれる。
【００９８】
上記考案において、前記ＳＣＩには、リソーススケジューリング情報が含まれない。ここで、リソーススケジューリング情報は、スケジューリングされた時間領域リソース及び／又は周波数領域リソースを示すためのものである。
【００９９】
一実施形態において、前記ＳＣＩには、第１指示情報が含まれ、前記第１指示情報は、前記ＳＣＩにフィードバック情報及び／又は測定情報が含まれることを示すためのものであるか、又は前記第１指示情報はＳＣＩフォーマットを示すためのものである。
【０１００】
例えば、ＳＣＩには、１ビットが含まれ、該ビット値が１である場合、該ＳＣＩがフィードバック情報及び／又は測定情報を伝送するためのものであることを表し、該ビット値が０である場合、該ＳＣＩがＰＳＳＣＨのリソースをスケジューリングするためのものであることを表す。
【０１０１】
また、例えば、ＳＣＩには、１ビットが含まれ、該ビット値が１である場合、該ＳＣＩが第１フォーマットのＳＣＩであることを表し、該ビット値が０である場合、該ＳＣＩが第２フォーマットのＳＣＩであることを表し、ここで、第１フォーマットのＳＣＩは、フィードバック情報及び／又は測定情報を伝送するためのものであり、第２フォーマットのＳＣＩは、ＰＳＳＣＨのスケジューリング情報を伝送するためのものである。
【０１０２】
なお、本出願の実施例は、フィードバック情報を伝送するためのＰＳＣＣＨのリソースを如何に決定する方法を更に提供し、具体的には下記３つの方式を含む。
【０１０３】
方式１：第１端末は、リソースセンシングを行い、少なくとも１つの利用可能なリソースを決定し、前記少なくとも１つの利用可能なリソースから、前記ＰＳＣＣＨを伝送するためのリソースを選択する。
【０１０４】
ここで、第１端末は、センシングの方式で、ＰＳＣＣＨのリソースを選択する。具体的には、第１端末は、センシングの方式で、利用可能なリソースセットを決定し、且つ利用可能なリソースセットから、前記ＰＳＣＣＨを伝送するためのリソースを選択する。
【０１０５】
方式２：前記第１端末は、前記第２端末から送信された前記データに対応する伝送リソースに基づいて、前記ＰＳＣＣＨを伝送するためのリソースを決定するか、又は、前記第１端末は、前記第２端末から送信された前記測定信号に対応する伝送リソースに基づいて、前記ＰＳＣＣＨを伝送するためのリソースを決定する。
【０１０６】
例えば、ＰＳＣＣＨの周波数領域伝送リソースは、前記データが所在する最低物理リソースブロック（ＰＲＢ：Ｐｈｙｓｉｃａｌ  Ｒｅｓｏｕｒｃｅ  Ｂｌｏｃｋ）のインデックス又は最低サブバンドのインデックスによって決定されてもよいし、前記測定信号が所在する最低ＰＲＢのインデックス又は最低サブバンドのインデックスによって決定されてもよい。例えば、前記ＰＳＣＣＨの周波数領域開始位置は、サブバンドＡ１であり、前記データの最低サブバンドのインデックスは、Ｂ１であり、ここで、Ａ１＝Ｂ１＋Ｋ１であり、Ｋ１は予め設定された値又はネットワークにより設定された値である。即ち、ＰＳＣＣＨの周波数領域位置は、前記データの周波数領域位置によって決定されることができる。
【０１０７】
例えば、ＰＳＣＣＨの時間領域伝送リソースは、前記データが所在するサブフレームによって決定されてもよいし、前記測定信号が所在するサブフレームによって決定されてもよい。例えば、前記ＰＳＣＣＨの時間領域位置は、サブフレームＣ１であり、前記データが所在するサブフレームはＤ１であり、ここで、Ｃ１＝Ｄ１＋Ｐ１であり、Ｐ１は、予め設定された値又はネットワークにより設定された値である。即ち、ＰＳＣＣＨの時間領域位置は、前記データの時間領域位置によって決定されることができる。
【０１０８】
方式３：
前記第１端末は、前記第２端末から送信された第２指示情報に基づいて、前記ＰＳＣＣＨを伝送するためのリソースを決定し、ここで、前記第２指示情報は、前記第２端末から送信されたデータによって搬送されるか、又は、前記第２指示情報は、前記第２端末から送信されたデータの対応する制御情報によって搬送される。
【０１０９】
例えば、前記第２端末は、前記第１端末にデータを送信する。前記データの対応する制御情報によって、第２指示情報が搬送される。前記第２指示情報は、該データのフィードバック情報に使用されるリソースを示すためのものである。前記第１端末は、前記第２端末から送信された制御情報及びデータを受信し、且つ制御情報によって搬送された第２指示情報に基づいて、該データに対応するフィードバック情報のリソースを決定し、該リソース上でＰＳＣＣＨを送信し、前記ＰＳＣＣＨによってフィードバック情報が搬送される。
【０１１０】
適用実例２：
第１端末は、フィードバック情報及び／又は測定情報をＰＳＳＣＨによって第２端末に伝送する。即ち、ＰＳＳＣＨには、フィードバック情報及び／又は測定情報が含まれる。
【０１１１】
一実施例において、第１端末は、ＰＳＳＣＨにおけるＭＡＣ  ＣＥを介して、前記フィードバック情報及び／又は前記測定情報を前記第２端末に送信し、ここで、前記ＭＡＣ  ＣＥに、前記フィードバック情報及び／又は前記測定情報が含まれる。
【０１１２】
ここで、フィードバック情報及び／又は測定情報は、ＭＡＣ  ＣＥの形でＰＳＳＣＨによって搬送される。第１端末は、ＰＳＳＣＨを送信すると共に、フィードバック情報及び／又は前記測定情報を送信する。
【０１１３】
一実施例において、前記フィードバック情報及び／又は測定情報をＰＳＳＣＨによって搬送することは、ＰＳＳＣＨの一部のリソースをパンクチャリングすることによって、フィードバック情報及び／又は測定情報をＰＳＳＣＨによって搬送することを含む。具体的には、前記ＰＳＳＣＨのデータは、該ＰＳＳＣＨの伝送リソースにマッピングされており、前記フィードバック情報及び／又は測定情報は、該ＰＳＳＣＨの使用する伝送リソースから第１リソースサブセットを選択し、該第１リソースサブセットにおける対応するＰＳＳＣＨのデータをパンクチャリングする。即ち、前記フィードバック情報及び／又は測定情報により、該第１リソースサブセットにおけるＰＳＳＣＨのデータを置き換える。更に、前記第１リソースサブセットは、第１基準に基づいて決定されるものであり、前記第１基準は、前記フィードバック情報及び／又は測定情報の伝送リソースが、前記ＰＳＳＣＨのＤＭＲＳシンボルにおける伝送リソースであり、且つ前記フィードバック情報及び／又は測定情報の伝送リソースが前記ＰＳＳＣＨのＤＭＲＳの伝送リソースを占用してはならないことを含むか、又は、前記第１基準は、前記フィードバック情報及び／又は測定情報の伝送リソースが、前記ＰＳＳＣＨのＤＭＲＳシンボルに隣接する時間領域シンボルにおける伝送リソースであることを含む。更に、前記フィードバック情報及び／又は測定情報の伝送リソースは、前記ＰＳＳＣＨのＤＭＲＳシンボル又はＤＭＲＳシンボルに隣接する時間領域シンボルにおける、最低又は最高周波数領域位置から開始するリソースである。前記第１基準は、予め設定されたもの又はネットワークによって設定されたものである。
【０１１４】
更に、前記第１リソースサブセットの大きさは、前記フィードバック情報及び／又は測定情報の情報ビットをチャネル符号化又は変調して得られたシンボル数によって決定される。
【０１１５】
例えば、ＰＳＳＣＨは１つのサブフレームを占用し、周波数領域は、８個のＰＲＢを占用し、ＰＳＳＣＨサブフレームにおける第３、６、９、１２番目の時間領域シンボルは、ＤＭＲＳシンボルである。各ＤＭＲＳシンボルにおいて、全てのリソースユニットは、いずれもＤＭＲＳシーケンスを伝送するためのものである。前記第１基準において、フィードバック情報により占用されるリソースは、最初１個目のＤＭＲＳシンボルの後ろの第１個の時間領域シンボルにおけるリソースであり、しかもＰＳＳＣＨ周波数領域リソースの最低周波数領域の位置から開始するリソースである。即ち、フィードバック情報は、ＰＳＳＣＨが所在するサブフレームの第４番目の時間領域シンボルにおける、最低周波数領域の位置から開始するリソースを占用する。前記フィードバック情報が２０個のリソースユニットを占用する必要がある場合、第４個の時間領域シンボルにおいて、前記ＰＳＳＣＨにより占用される周波数領域リソースの最低位置から開始する２０個のリソースユニットにおけるＰＳＳＣＨのデータが、前記フィードバック情報に置き換えられる。
【０１１６】
一実施例において、前記フィードバック情報及び／又は測定情報がＰＳＳＣＨによって搬送されることは、前記フィードバック情報及び／又は測定情報が、レートマッチング方式でＰＳＳＣＨによって搬送されることを含む。具体的には、まず、フィードバック情報及び／又は測定情報が占用するリソースの大きさを決定する。続いて、第１基準に従って、前記フィードバック情報及び／又は測定情報がＰＳＳＣＨの伝送リソースに占用するリソースを決定する。ＰＳＳＣＨのデータの利用可能なリソースユニットを算出する時に、該フィードバック情報及び／又は測定情報のためにリザーブするリソースを除去する必要があり、且つＰＳＳＣＨのデータを伝送リソースにマッピングする時、前記ＰＳＳＣＨのデータは、前記フィードバック情報及び／又は測定情報に使用されるリソースを占用しない。前記フィードバック情報及び／又は測定情報を、前記ＰＳＳＣＨにおける、前記第１基準に基づいて決定されたリソースにマッピングし、前記フィードバック情報及び／又は測定情報に対して、ＰＳＳＣＨのデータに対してパンクチャリングを行わない。
【０１１７】
一実施例において、前記フィードバック情報及び／又は測定情報は、前記ＰＳＳＣＨと異なる変調方式又は符号化方式を利用する。
【０１１８】
一実施例において、前記フィードバック情報及び／又は測定情報は前記ＰＳＳＣＨと異なる電力スペクトル密度を利用するか、又は、前記フィードバック情報及び／又は測定情報の電力は、前記ＰＳＳＣＨと異なる。
【０１１９】
一実施例において、前記ＰＳＳＣＨに、前記第１端末の識別情報、前記第２端末の識別情報、グループ識別情報のうちの少なくとも１つを更に含む。更に、前記第１端末の識別情報は、前記ＰＳＳＣＨにおけるＭＡＣ  ＣＥによって搬送されるか、又は前記第２端末の識別情報は、前記ＰＳＳＣＨにおけるＭＡＣ  ＣＥによって搬送されるか、又は前記グループ識別情報は、前記ＰＳＳＣＨにおけるＭＡＣ  ＣＥによって搬送される。
【０１２０】
一実施例において、前記ＰＳＳＣＨのデータがチャネル符号化された後、該符号化されたシーケンスをスクランブリングする必要がある。前記スクランブリングシーケンスは、前記第１端末の識別情報、前記第２端末の識別情報、グループ識別情報のうちの少なくとも１つを決定するためのものであってもよい。例えば、第１端末から送信されたＰＳＳＣＨのデータをチャネル符号化、レートマッチングして得られたシーケンスは、第１シーケンスである。第１端末は、該第１シーケンスに対してスクランブリングを行い、前記スクランブリングに使用されるスクランブリングシーケンスは、前記第１端末の識別情報、及び／又は前記第２端末の識別情報、及び／又はグループ識別情報に基づいて決定された第１スクランブリングシーケンスである。第２端末は、前記第１端末から送信された該ＰＳＳＣＨを受信し、前記第１スクランブリングシーケンスを利用して、該ＰＳＳＣＨのデータをデスクランブリング処理する時に、復号に成功した場合、該第１スクランブリングシーケンスに基づいて、前記第１端末の識別情報、及び／又は前記第２端末の識別情報、及び／又はグループ識別情報を決定することができる。
【０１２１】
一実施例において、前記第１端末は、前記第２端末に第５指示情報を送信し、前記第５指示情報は、前記フィードバック情報のタイプ、前記フィードバック情報のタイプに対応するビット数、前記測定情報のタイプ、前記測定情報のタイプに対応するビット数のうちの少なくとも１つを示すためのものである。更に、前記第５指示情報は、前記ＰＳＳＣＨに含まれるか、又は、前記第５指示情報は、前記ＰＳＳＣＨに対応するＰＳＣＣＨに含まれる。
【０１２２】
一実施形態において、前記第１端末は、第６指示情報を取得し、前記第６指示情報は、前記第１端末から送信されたフィードバック情報のタイプ、前記第１端末から送信されたフィードバック情報のタイプに対応するビット数、前記第１端末から送信された測定情報のタイプ、前記第１端末から送信された測定情報のタイプに対応するビット数のうちの少なくとも１つを示すためのものである。更に、前記第１端末は、下記方式で第６指示情報を取得することができる。１）前記第１端末は、前記第２端末から送信された第１サイドリンク伝送チャネルを受信し、前記第６指示情報は、前記第１サイドリンク伝送チャネルに含まれる。又は、２）前記第１端末は、ネットワークから送信された構成情報を受信し、前記構成情報には前記第６指示情報が含まれる。
【０１２３】
上記実施例において、ＰＳＳＣＨにおけるＭＡＣ  ＣＥによって前記第１端末の識別情報、及び／又は前記第２端末の識別情報、及び／又は前記グループ識別情報を示す方法と、ＰＳＳＣＨの対応するスクランブリングシーケンスによって前記第１端末の識別情報、及び／又は前記第２端末の識別情報、及び／又は前記グループ識別情報を決定する方法とは、組み合わせて利用することができることが理解されるべきである。本出願は、これを限定するものではない。例えば、ＰＳＳＣＨにおけるＭＡＣ  ＣＥによって前記第１端末の識別情報を搬送し、ＰＳＳＣＨの対応するスクランブリングシーケンスに基づいて前記第２端末の識別情報を決定する。
【０１２４】
前記第１端末の識別情報、及び／又は前記第２端末の識別情報、及び／又はグループ識別情報は、上記実施例と同様に、フィードバック情報及び／又は測定情報のパンクチャリング又はレートマッチングの方式で、ＰＳＳＣＨによって搬送することができる。利用される方法は、上記実施例と同様であり、ここで詳細な説明を省略する。
【０１２５】
本出願の実施例において、第１端末には、送信待ちデータがなければ、第１端末は、データを含まないＰＳＳＣＨを送信し、該ＰＳＳＣＨによってフィードバック情報及び／又は測定情報が搬送される。更に、前記フィードバック情報には前記ＡＣＫ／ＮＡＣＫ情報が含まれる場合、前記フィードバック情報はＨＡＲＱプロセス情報を更に含む。
【０１２６】
なお、本出願の実施例は、フィードバック情報及び／又は測定情報を伝送するためのＰＳＳＣＨのリソースを如何に決定する方法を更に提供し、具体的には下記３つの方式を含む。
【０１２７】
方式１：第１端末は、リソースセンシングを行い、少なくとも１つの利用可能なリソースを決定し、前記少なくとも１つの利用可能なリソースから、前記ＰＳＳＣＨを伝送するためのリソースを選択する。
【０１２８】
ここで、第１端末は、センシングの方式で、ＰＳＳＣＨのリソースを選択する。具体的には、第１端末は、センシングの方式で、利用可能なリソースセットを決定し、且つ利用可能なリソースセットから、前記ＰＳＳＣＨを伝送するためのリソースを選択する。
【０１２９】
方式２：前記第１端末は、前記第２端末から送信された前記データに対応する伝送リソースに基づいて、前記ＰＳＳＣＨを伝送するためのリソースを決定するか、又は、前記第１端末は、前記第２端末から送信された前記測定信号に対応する伝送リソースに基づいて、前記ＰＳＳＣＨを伝送するためのリソースを決定する。
【０１３０】
例えば、ＰＳＳＣＨの周波数領域伝送リソースは、前記データが所在する最低ＰＲＢのインデックス又は最低サブバンドのインデックスによって決定されてもよいし、前記測定信号が所在する最低ＰＲＢのインデックス又は最低サブバンドのインデックスによって決定されてもよい。例えば、前記ＰＳＳＣＨの周波数領域開始位置は、サブバンドＡ２であり、前記データの最低サブバンドのインデックスは、Ｂ２であり、ここで、Ａ２＝Ｂ２＋Ｋ２であり、Ｋ２は予め設定された値又はネットワークにより設定された値である。即ち、ＰＳＳＣＨの周波数領域位置は、前記データの周波数領域位置によって決定されてもよい。
【０１３１】
例えば、ＰＳＳＣＨの時間領域伝送リソースは、前記データが所在するサブフレームによって決定されてもよいし、前記測定信号が所在するサブフレームによって決定されてもよい。例えば、前記ＰＳＳＣＨの時間領域位置は、サブフレームＣ２であり、前記データが所在するサブフレームはＤ２であり、ここで、Ｃ２＝Ｄ２＋Ｐ２であり、Ｐ２は、予め設定された値又はネットワークにより設定された値である。即ち、ＰＳＳＣＨの時間領域位置は、前記データの時間領域位置によって決定されてもよい。
【０１３２】
方式３：
前記第１端末は、前記第２端末から送信された第３指示情報に基づいて、前記ＰＳＳＣＨを伝送するためのリソースを決定し、ここで、前記第３指示情報は、前記第２端末から送信されたデータによって搬送されるか、又は、前記第３指示情報は、前記第２端末から送信されたデータの対応する制御情報によって搬送される。
【０１３３】
例えば、前記第２端末は、前記第１端末にデータを送信する。前記データの対応する制御情報によって、第３指示情報が搬送される。前記第３指示情報は、該データのフィードバック情報に使用されるリソースを示すためのものである。前記第１端末は、前記第２端末から送信された制御情報及びデータを受信し、且つ制御情報によって搬送された第３指示情報に基づいて、該データに対応するフィードバック情報のリソースを決定し、該リソース上でＰＳＳＣＨを送信し、前記ＰＳＳＣＨによってフィードバック情報が搬送される。
【０１３４】
適用実例３：
第１端末は、フィードバック情報及び／又は測定情報を第１サイドリンクチャネルによって第２端末に伝送し、ここで、前記第１サイドリンクチャネルは、ＰＳＣＣＨ又はＰＳＳＣＨではなく、該チャネルは、フィードバック情報及び／又は測定情報の伝送のみに用いられる。
【０１３５】
一実施例において、該第１サイドリンクチャネルは、一つのシーケンスである。該シーケンスは、前記フィードバック情報及び／又はサイドリンク情報の搬送に用いられる。例えば、異なるシーケンスによって、ＡＣＫ又はＮＡＣＫ情報を搬送し、第１シーケンスは、ＡＣＫ情報送信を示すためのものであり、第２シーケンスは、ＮＡＣＫ情報送信を示すためのものであり、第１端末は、フィードバックしようとする情報（ＡＣＫ又はＮＡＣＫ）に基づいて伝送されるシーケンスを決定する。
【０１３６】
なお、本出願の実施例は、フィードバック情報及び／又は測定情報を伝送するための第１サイドリンク情報のリソースを如何に決定する方法を更に提供し、具体的には下記３つの方式を含む。
【０１３７】
方式１：第１端末は、リソースセンシングを行い、少なくとも１つの利用可能なリソースを決定し、前記少なくとも１つの利用可能なリソースから、前記第１サイドリンクチャネルを伝送するためのリソースを選択する。
【０１３８】
ここで、第１端末は、センシングの方式で、第１サイドリンクチャネルのリソースを選択する。具体的には、第１端末は、センシングの方式で、利用可能なリソースセットを決定し、且つ利用可能なリソースセットから、前記第１サイドリンクチャネルを伝送するためのリソースを選択する。
【０１３９】
方式２：前記第１端末は、前記第２端末から送信された前記データに対応する伝送リソースに基づいて、前記第１サイドリンクチャネルを伝送するためのリソースを決定するか、又は、前記第１端末は、前記第２端末から送信された前記測定信号に対応する伝送リソースに基づいて、前記第１サイドリンクチャネルを伝送するためのリソースを決定する。
【０１４０】
例えば、第１サイドリンクチャネルの周波数領域伝送リソースは、前記データが所在する最低ＰＲＢのインデックス又は最低サブバンドのインデックスによって決定されてもよいし、前記測定信号が所在する最低ＰＲＢのインデックス又は最低サブバンドのインデックスによって決定されてもよい。例えば、前記第１サイドリンクチャネルの周波数領域開始位置は、サブバンドＡ３であり、前記データの最低サブバンドのインデックスは、Ｂ３であり、ここで、Ａ３＝Ｂ３＋Ｋ３であり、Ｋ３は予め設定された値又はネットワークにより設定された値である。即ち、第１サイドリンクチャネルの周波数領域位置は、前記データの周波数領域位置によって決定されてもよい。
【０１４１】
例えば、第１サイドリンクチャネルの時間領域伝送リソースは、前記データが所在するサブフレームによって決定されてもよいし、前記測定信号が所在するサブフレームによって決定されてもよい。例えば、前記第１サイドリンクチャネルの時間領域位置は、サブフレームＣ３であり、前記データが所在するサブフレームはＤ３であり、ここで、Ｃ３＝Ｄ３＋Ｐ３であり、Ｐ３は、予め設定された値又はネットワークにより設定された値である。即ち第１サイドリンクチャネルの時間領域位置は、前記データの時間領域位置によって決定されてもよい。
【０１４２】
例えば、第１サイドリンクチャネルは一つのシーケンスであり、１つの時間領域シンボルを占用し、該シーケンスに用いられる伝送リソースは、前記データが所在するサブフレームによって決定されてもよい。例えば、該シーケンスは、前記データが所在するサブフレームの最後の一つの時間領域シンボルを利用する。該シーケンスの周波数領域リソースの開始位置（又は終了位置）は、前記データの周波数領域リソースの開始位置（又は終了位置）と同じである。該シーケンスにより占用された周波数領域リソースの大きさは、予め設定されたもの、又はネットワークにより設定されたもの、又は前記データの周波数領域リソースの大きさに基づいて決定されたものであってもよい。
【０１４３】
方式３：
前記第１端末は、前記第２端末から送信された第４指示情報に基づいて、前記第１サイドリンクチャネルを伝送するためのリソースを決定し、ここで、前記第４指示情報は、前記第２端末から送信されたデータによって搬送されるか、又は、前記第４指示情報は、前記第２端末から送信されたデータの対応する制御情報によって搬送される。
【０１４４】
例えば、前記第２端末は、前記第１端末にデータを送信する。前記データの対応する制御情報に、第４指示情報が含まれる。前記第４指示情報は、該データのフィードバック情報に使用されるリソースを示すためのものである。前記第１端末は、前記第２端末から送信された制御情報及びデータを受信し、且つ制御情報に含まれる第４指示情報に基づいて、該データに対応するフィードバック情報のリソースを決定し、該リソース上で前記第１サイドリンクチャネルを送信し、前記第１サイドリンクチャネルによってフィードバック情報が搬送される。
【０１４５】
図４は、本出願の実施例によるデータ伝送装置の構成を示す概略図である。図４に示すように、前記データ伝送装置は、
ＰＳＣＣＨ及び／又はＰＳＳＣＨを第２端末に送信するように構成される送信ユニット４０２を備え、前記ＰＳＣＣＨ及び／又はＰＳＳＣＨが、フィードバック情報及び／又は測定情報を含む。
【０１４６】
前記装置は、
前記第２端末から送信されたデータ及び／又は測定信号を受信するように構成される受信ユニット４０１を更に備える。
【０１４７】
上記考案において、前記測定信号は、
ＤＭＲＳ、ＣＳＩ−ＲＳ、ＳＲＳ、ＰＴ−ＲＳのうちの少なくとも１つを含む。
【０１４８】
上記考案において、前記フィードバック情報は、前記第２端末から送信された前記データに対応するフィードバック情報であり、前記測定情報は、前記第２端末から送信された前記測定信号に対応する測定情報である。
【０１４９】
一実施形態において、前記ＰＳＣＣＨがフィードバック情報及び／又は測定情報を含む場合、前記送信ユニット４０２は、ＰＳＣＣＨにおけるＳＣＩを介して、前記フィードバック情報及び／又は前記測定情報を前記第２端末に送信するように構成され、前記ＳＩＣには、前記フィードバック情報及び／又は前記測定情報が含まれる。
【０１５０】
一実施形態において、前記ＰＳＣＣＨが、前記第１端末の識別情報、前記第２端末の識別情報、グループ識別情報のうちの少なくとも１つを更に含む。更に、前記第１端末の識別情報は、前記ＰＳＣＣＨにおけるＳＣＩによって搬送されるか、又は前記第２端末の識別情報は、前記ＰＳＣＣＨにおけるＳＣＩによって搬送されるか、又は前記グループ識別情報は、前記ＰＳＣＣＨにおけるＳＣＩによって搬送される。
【０１５１】
一実施形態において、前記ＰＳＣＣＨが、前記第１端末の識別情報、前記第２端末の識別情報、グループ識別情報のうちの少なくとも１つを更に含むことは、
前記ＰＳＣＣＨの対応するスクランブリングシーケンスが、前記第１端末の識別情報、前記第２端末の識別情報、グループ識別情報のうちの少なくとも１つを決定するためのものであることを含む。
【０１５２】
一実施形態において、前記ＰＳＣＣＨが、前記第１端末の識別情報、前記第２端末の識別情報、グループ識別情報のうちの少なくとも１つを更に含むことは、
前記ＰＳＣＣＨにおけるＳＣＩが対応するマスキングシーケンスが、前記第１端末の識別情報、前記第２端末の識別情報、グループ識別情報のうちの少なくとも１つを決定するためのものであることを含む。
【０１５３】
一実施形態において、前記ＳＣＩには、リソーススケジューリング情報が含まれない。
【０１５４】
一実施形態において、前記ＳＣＩには第１指示情報が含まれ、前記第１指示情報は、前記ＳＣＩにフォードバック情報及び／又は測定情報が含まれることを示すためのものであるか、又は、前記第１指示情報は、ＳＣＩフォーマットを示すためのものである。
【０１５５】
一実施形態において、前記送信ユニット４０２更に、前記第２端末に第５指示情報を送信するように構成され、前記第５指示情報は、
前記フィードバック情報のタイプ、
前記フィードバック情報のタイプに対応するビット数、
前記測定情報のタイプ、
前記測定情報のタイプに対応するビット数のうちの少なくとも１つを示すためのものである。
【０１５６】
一実施例において、前記第５指示情報は前記ＰＳＳＣＨに含まれるか、又は、前記第５指示情報は、前記ＰＳＳＣＨに対応するＰＳＣＣＨに含まれる。
【０１５７】
一実施形態において、前記装置は、
第６指示情報を取得するように構成される受信ユニット４０１を更に備え、前記第６指示情報は、
前記第１端末により送信されるフィードバック情報のタイプ、
前記第１端末により送信されるフィードバック情報のタイプに対応するビット数、
前記第１端末により送信される測定情報のタイプ、
前記第１端末により送信される測定情報のタイプに対応するビット数のうちの少なくとも１つを示すためのものである。
【０１５８】
一実施形態において、前記受信ユニット４０１は、前記第２端末から送信された第１サイドリンク伝送チャネルを受信するように構成され、前記第６指示情報は前記第１サイドリンク伝送チャネルに含まれる。
【０１５９】
一実施例において、前記受信ユニット４０１は、ネットワークから送信された構成情報を受信するように構成され、前記構成情報には、前記第６指示情報が含まれる。
【０１６０】
一実施形態において、前記装置は、
リソースセンシングを行い、少なくとも１つの利用可能なリソースを決定し、前記少なくとも１つの利用可能なリソースから、前記ＰＳＣＣＨを伝送するためのリソースを選択するように構成されるリソースセンシングユニット４０３を更に備える。
【０１６１】
一実施形態において、前記装置は、
前記第２端末から送信された前記データに対応する伝送リソースに基づいて、前記ＰＳＣＣＨを伝送するためのリソースを決定するか、又は、前記第２端末から送信された前記測定信号に対応する伝送リソースに基づいて、前記ＰＳＣＣＨを伝送するためのリソースを決定するように構成されるリソース決定ユニット４０４を更に備える。
【０１６２】
一実施形態において、前記装置は、
前記第２端末から送信された第２指示情報に基づいて、前記ＰＳＣＣＨを伝送するためのリソースを決定し、前記第２指示情報が前記第２端末から送信されたデータによって搬送されるか、又は前記第２指示情報が前記第２端末から送信されたデータの対応する制御情報によって搬送されるように構成されるリソース決定ユニット４０４を更に備える。
【０１６３】
一実施形態において、前記ＰＳＳＣＨがフィードバック情報及び／又は測定情報を含む場合、前記送信ユニット４０２は、ＰＳＳＣＨにおけるＭＡＣ  ＣＥを介して、前記フィードバック情報及び／又は前記測定情報を前記第２端末に送信するように構成され、前記ＭＡＣ  ＣＥに、前記フィードバック情報及び／又は前記測定情報が含まれる。
【０１６４】
一実施形態において、前記ＰＳＳＣＨがフィードバック情報及び／又は測定情報を含む場合、前記フィードバック情報及び／又は測定情報は、前記ＰＳＳＣＨの使用する伝送リソース内の第１リソースサブセットを占用し、前記第１リソースサブセットは、第１基準に基づいて決定されるものであり、前記第１基準は、予め設定されたもの又はネットワークによって設定されたものである。
【０１６５】
一実施形態において、前記第１基準は、
前記フィードバック情報及び／又は測定情報の伝送リソースが、前記ＰＳＳＣＨのＤＭＲＳシンボルにおける伝送リソースであり、且つ前記フィードバック情報及び／又は測定情報の伝送リソースが前記ＰＳＳＣＨのＤＭＲＳの伝送リソースを占用してはならないこと、又は
前記フィードバック情報及び／又は測定情報の伝送リソースが、前記ＰＳＳＣＨのＤＭＲＳシンボルに隣接する時間領域シンボルにおける伝送リソースであることを含む。
【０１６６】
一実施形態において、前記第１リソースサブセットの大きさは、前記フィードバック情報及び／又は測定情報の情報ビットをチャネル符号化又は変調して得られたシンボル数によって決定される。
【０１６７】
一実施形態において、前記フィードバック情報及び／又は測定情報が前記ＰＳＳＣＨの使用する伝送リソース内の第１リソースサブセットを占用することは、
前記第１リソースサブセットにおける前記ＰＳＳＣＨのデータが、前記フィードバック情報及び／又は測定情報によってパンクチャリングされるか又は置き換えられることを含む。
【０１６８】
一実施例において、前記ＰＳＳＣＨがフィードバック情報及び／又は測定情報を含む場合、前記フィードバック情報及び／又は測定情報はレートマッチングの方式でＰＳＳＣＨによって搬送される。
【０１６９】
一実施形態において、前記ＰＳＳＣＨには、前記第１端末の識別情報、前記第２端末の識別情報、グループ識別情報のうちの少なくとも１つを含む。更に、前記第１端末の識別情報は、前記ＰＳＳＣＨにおけるＭＡＣ  ＣＥによって搬送されるか、又は前記第２端末の識別情報は、前記ＰＳＳＣＨにおけるＭＡＣ  ＣＥによって搬送されるか、又は前記グループ識別情報は、前記ＰＳＳＣＨにおけるＭＡＣ  ＣＥによって搬送される。
【０１７０】
一実施形態において、前記ＰＳＳＣＨに、前記第１端末の識別情報、前記第２端末の識別情報、グループ識別情報のうちの少なくとも１つを更に含むことは、
前記ＰＳＳＣＨの対応するスクランブリングシーケンスが、前記第１端末の識別情報、前記第２端末の識別情報、グループ識別情報のうちの少なくとも１つを決定するためのものであることを含む。
【０１７１】
前記第１端末の識別情報、及び／又は前記第２端末の識別情報、及び／又はグループ識別情報は、上記実施例と同様なフィードバック情報及び／又は測定情報のパンクチャリング又はレートマッチングの方式で、ＰＳＳＣＨによって搬送することができる。利用される方法は、上記実施例と同様であり、ここで詳細な説明を省略する。
【０１７２】
一実施形態において、前記装置は、
リソースセンシングを行い、少なくとも１つの利用可能なリソースを決定し、前記少なくとも１つの利用可能なリソースから、前記ＰＳＳＣＨを伝送するためのリソースを選択するように構成されるリソースセンシングユニット４０３を更に備える。
【０１７３】
一実施形態において、前記装置は、
前記第２端末から送信された前記データに対応する伝送リソースに基づいて、前記ＰＳＳＣＨを伝送するためのリソースを決定するか、又は、前記第２端末から送信された前記測定信号に対応する伝送リソースに基づいて、前記ＰＳＳＣＨを伝送するためのリソースを決定するように構成されるリソース決定ユニット４０４を更に備える。
【０１７４】
一実施形態において、前記装置は、
前記第２端末から送信された第３指示情報に基づいて、前記ＰＳＳＣＨを伝送するためのリソースを決定し、前記第３指示情報が、前記第２端末から送信されたデータに含まれるか、又は前記第３指示情報が、前記第２端末から送信されたデータの対応する制御情報に含まれるように構成されるリソース決定ユニット４０４を更に備える。
【０１７５】
一実施形態において、前記フィードバック情報は、
ＡＣＫ／ＮＡＣＫ情報、ビームインデックス情報、ＣＱＩ情報、ＰＭＩ情報、ＲＩ情報、電力指示情報、ＣＳＩ情報のうちの少なくとも１つを含む。
【０１７６】
一実施形態において、前記フィードバック情報が前記ＡＣＫ／ＮＡＣＫ情報を含む場合、前記フィードバック情報は、ＨＡＲＱプロセス情報を更に含む。ここで、ＡＣＫ／ＮＡＣＫ情報とは、ＡＣＫ情報又はＮＡＣＫ情報を指す。
【０１７７】
一実施形態において、前記測定情報は、
ＲＳＲＰ、ＲＳＲＱ、ＲＳＳＩ、干渉指示情報、伝搬損失情報のうちの少なくとも１つを含む。
【０１７８】
図４に示したデータ伝送装置における各ユニットの機能は、上述したデータ伝送方法に関する説明を参照しながら理解することができ、図４に示したデータ伝送装置における各ユニットの機能は、プロセッサ上で実行されるプログラムにより実現してもよいし、具体的な論理回路により実現してもよいことは、当業者であれば理解すべきである。
【０１７９】
本発明の実施例の上記考案は、車のインターネットシステムに適用するだけでなく、他の終端間通信システムに適用する。本発明の実施例における前記端末は、車載端末、ポータブル端末、パーソナルデジタルアシスタント（ＰＤＡ：Ｐｅｒｓｏｎａｌ  Ｄｉｇｉｔａｌ  Ａｓｓｉｓｔａｎｔ）、ウェアラブル端末等であってもよい。
【０１８０】
本発明の実施例の上記データ伝送装置は、ソフトウェア機能ユニットの形で実現され、かつ独立した製品として販売または使用されるとき、コンピュータにより読み取り可能な記憶媒体内に記憶されてもよい。このような理解のもと、本発明の考案は、本質的に、又は、従来技術に対して貢献をもたらした部分又は該考案の一部は、ソフトウェア製品の形式で具現することができ、このようなコンピュータソフトウェア製品は、記憶媒体に記憶しても良く、また、コンピュータ設備（パソコン、サーバ、又はネットワーク装置など）に、本発明の各実施例に記載の方法の全部又は一部のステップを実行させるための若干の命令を含む。前記の記憶媒体は、Ｕディスク、リムーバブルハードディスク、読み出し専用メモリ（ＲＯＭ：Ｒｅａｄ−ｏｎｌｙ  Ｍｅｍｏｒｙ）、ディスク、又は光ディスクなど、プログラムコードを記憶可能な各種の媒体を含む。従って、本発明の実施例は、如何なる特定のハードウェアとソフトウェアの組み合わせにも限定されない。
【０１８１】
なお、本出願の実施例は、コンピュータによる実行可能な命令が記憶されているコンピュータ記憶媒体を更に提供し、該コンピュータによる実行可能な命令がプロセッサにより実行される時、上記データ伝送方法を実現させる。
【０１８２】
図５は、本発明の実施例によるコンピュータ装置の構成を示す概略図である。本発明の実施例のコンピュータ装置は、任意のタイプの端末であってもよい。図５に示すように、コンピュータ装置１００は、１つ又は複数の（図面には１つのみが示される）プロセッサ１００２（プロセッサ１００２は、マイクロプロセッサ（ＭＣＵ：Ｍｉｃｒｏ  Ｃｏｎｔｒｏｌｌｅｒ  Ｕｎｉｔ）又はプログラマブルロジックデバイス（ＦＰＧＡ：Ｆｉｅｌｄ  Ｐｒｏｇｒａｍｍａｂｌｅ  Ｇａｔｅ  Ａｒｒａｙ）等の処理装置を含んでもよいが、これらに限定されない）、データを記憶するためのメモリ１００４、及び通信のための伝送装置１００６を備えてもよい。図５に示した構成は模式的なものに過ぎず、上記電子装置の構成を限定するものではないことは、当業者であれば、理解すべきである。例えば、コンピュータ装置１００は、図５に示したものより多くユニット又は少ないユニットを備えてもよいし、図５に示したものと異なる構成を備えてもよい。
【０１８３】
メモリ１００４は、本発明の実施例における情報フィードバック方法に対応するプログラム命令／モジュールのようなアプリケーションのソフトウェアプログラム及びモジュールを記憶するためのものである。プロセッサ１００２は、メモリ１００４に記憶されているソフトウェアプログラム及びモジュールを実行することで、様々な機能の適用及びデータ処理を実行し、つまり上記方法を実現させる。メモリ１００４は、高速ランダムメモリを含んでもよいし、１つ又は複数の磁気記憶装置、フラッシュメモリ、その他の不揮発性固体記憶装置のような不揮発性メモリを含んでもよい。幾つかの実例において、メモリ１００４は、プロセッサ１００２に対して遠隔に設けられるメモリを更に含んでもよい。これらのリモートメモリは、ネットワークを介してコンピュータ装置１００に接続される。上記ネットワークは、インターネット、イントラネット、ローカルエリアネットワーク、移動体通信ネットワーク及びこれらの組み合わせを含むが、これらに限定されない。
【０１８４】
伝送装置１００６は、ネットワークを介してデータを送受信するように構成される。上記ネットワークの具体的な実例は、コンピュータ装置１００の通信業者により提供される無線ネットワークを含んでもよい。一実例において、伝送装置１００６は、ネットワークアダプタデバイス（ＮＩＣ：Ｎｅｔｗｏｒｋ  Ｉｎｔｅｒｆａｃｅ  Ｃｏｎｔｒｏｌｌｅｒ）を含み、それは、基地局を介して他のネットワーク装置と接続することで、インターネットと通信することができる。一実例において、伝送装置１００６は、無線方式でインターネットと通信するための無線周波数（ＲＦ：Ｒａｄｉｏ  Ｆｒｅｑｕｅｎｃｙ）モジュールであってもよい。
【０１８５】
本発明の実施例に記載の考案は、矛盾しない限り、任意に組み合わせすることができる。
【０１８６】
本発明で提供する幾つかの実施例で開示した方法及びインテリジェント装置は、他の方式によって実現できることを理解すべきである。以上に記載した装置の実施例はただ例示的なもので、例えば、前記ユニットの分割はただロジック機能の分割で、実際に実現する時は他の分割方式によってもよい。例えば、複数のユニット又は組立体を組み合わせてもよいし、別のシステムに組み込んでもよい。又は若干の特徴を無視してもよいし、実行しなくてもよい。また、示したか或いは検討した相互間の結合又は直接的な結合又は通信接続は、幾つかのインターフェイス、装置又はユニットによる間接的な結合又は通信接続であってもよく、電気的、機械的または他の形態であってもよい。
【０１８７】
分離部材として説明した該ユニットは、物理的に別個のものであってもよいし、そうでなくてもよい。ユニットとして示された部材は、物理的ユニットであってもよいし、そうでなくてもよい。即ち、同一の位置に位置してもよいし、複数のネットワークに分布してもよい。実際の需要に応じてそのうちの一部又は全てのユニットにより本実施例の方策の目的を実現することができる。
【０１８８】
また、本発明の各実施例における各機能ユニットは一つの第２処理ユニットに集積されてもよいし、各ユニットが物理的に別個のものとして存在してもよいし、２つ以上のユニットが一つのユニットに集積されてもよい。上記集積したユニット、ハードウェアの形で実現してもよいし、ハードウェアとソフトウェアユニットの組み合わせという形で実現してもよい。
【０１８９】
以上は本発明の具体的な実施形態に過ぎず、本発明の保護の範囲はそれらに制限されるものではなく、当業者が本発明に開示された技術範囲内で容易に想到しうる変更や置換はいずれも、本発明の保護範囲内に含まれるべきである。
【図１】
2021508205.tif 000003
【図２】
2021508205.tif 000004
【図３】
2021508205.tif 000005
【図４】
2021508205.tif 000006
【図５】
2021508205.tif 000007
【国際調査報告】
2021508205.tif 000008
2021508205.tif 000009
2021508205.tif 000010
2021508205.tif 000011